(57)【要約】  芯体により視覚的に形成された筆跡を視覚的に消去したときには、対応する電子データも同時に消去することが可能な位置指示器を提供する。 ペン形状の筐体の軸芯方向のそれぞれの端部には、第１の指示部と第２の指示部とを備える。第１の指示部には、位置指示器の筆記操作に対応した筆跡を視覚的に形成可能な芯体が設けられていると共に、センサ面上での指示位置が、センサで検出されるように第１の回路要素が配設されている。第２の指示部には、芯体によって形成された筆跡を視覚的に消去するための消去部材が、筐体から突出するように設けられていると共に、センサ面上での指示位置が、センサで検出されるように第２の回路要素が配設されている。第２の指示部には、消去部材を筐体に対して保持させるための保持部が形成されており、保持部はセンサとのインタラクションに寄与する部材を備えている。
2018158993.tif 000002
【特許請求の範囲】
【請求項１】
センサのセンサ面上で指示する位置が前記センサとのインタラクションによって前記センサで検出される、ペン形状の筐体を有する位置指示器であって、
前記筐体の軸芯方向のそれぞれの端部には、第１の指示部と第２の指示部とを備えているとともに、前記センサと前記第１の指示部及び前記第２の指示部とがインタラクションを引き起こすためのインタラクション回路を備えており、
前記第１の指示部には、前記軸芯方向に前記位置指示器の筐体から突出するように、前記位置指示器の筆記操作に対応した筆跡を視認可能に形成する芯体が設けられているとともに、前記第１の指示部によって前記センサ面上で指示される位置が前記インタラクション回路と前記センサとのインタラクションによって検出されるように、前記インタラクション回路を構成する第１の回路要素が配設されており、
前記第２の指示部には、前記第１の指示部に設けられた前記芯体によって視認可能に形成された筆跡を視覚的に消去するための消去部材が、前記軸芯方向に前記筐体から突出するように設けられているとともに、前記第２の指示部によって前記センサ面上で指示される位置が前記インタラクション回路と前記センサとのインタラクションによって検出されるように、前記インタラクション回路を構成する第２の回路要素が配設されており、
前記第２の指示部に前記筐体から突出するように設けられた前記消去部材は保持部によって保持されており、
前記保持部は前記センサとのインタラクションに寄与する部材を備えることで、前記保持部が前記第２の回路要素と前記センサとのインタラクションに協働するように構成されている
ことを特徴とする位置指示器。
【請求項２】
前記第２の指示部と前記センサとのインタラクションは、キャパシタンス素子と磁性体に巻回されたインダクタンス素子とから構成された共振回路を備えるインタラクション回路に基づく電磁結合によって引き起こされ、
前記第２の指示部に配設された前記第２の回路要素は前記共振回路を構成する前記磁性体を含むものであり、
前記消去部材を保持する前記保持部は磁性体で構成されていることで、前記共振回路を構成する前記磁性体とともに、前記センサとの前記インタラクションを引き起こす
ことを特徴とする請求項１に記載の位置指示器。
【請求項３】
前記第２の指示部と前記センサとの前記インタラクションは、信号発振回路と前記信号発振回路からの出力信号が供給される導電体とから構成された信号発信回路を備えるインタラクション回路に基づく静電結合によって引き起こされ、
前記第２の指示部に配設された前記第２の回路要素は前記信号発信回路を構成する前記導電体を含むものであり、
前記消去部材を保持する前記保持部は導電性部材で構成されていることで、前記信号発信回路を構成する前記導電体とともに、前記センサとの前記インタラクションを引き起こす
ことを特徴とする請求項１に記載の位置指示器。
【請求項４】
前記保持部は、前記第２の回路要素と一体的に形成されていることを特徴とする請求項２または請求項３に記載の位置指示器。
【請求項５】
前記第１の指示部と前記センサとのインタラクションは、前記インタラクション回路が備える、キャパシタンス素子と磁性体に巻回されたインダクタンス素子とから構成された共振回路に基づく電磁結合によって引き起こされ、
前記第１の指示部に配設された前記第１の回路要素は前記共振回路を構成する前記磁性体を含むものである
ことを特徴とする請求項１または請求項２に記載の位置指示器。
【請求項６】
前記第１の指示部と前記センサとのインタラクションは、前記インタラクション回路が備える、信号発振回路と前記信号発振回路からの出力信号が供給される導電体とから構成された信号発信回路に基づく静電結合によって引き起こされ、
前記第１の指示部に配設された前記第１の回路要素は前記信号発信回路を構成する前記導電体を含むものである
ことを特徴とする請求項１または請求項２に記載の位置指示器。
【請求項７】
前記インタラクション回路は、前記センサと前記第１の指示部及び前記第２の指示部とが同一種類のインタラクションを引き起こすように構成されており、
前記センサの前記センサ面に対向する面積は、前記第１の回路要素に対して前記保持部の方が大きい
ことを特徴とする請求項１に記載の位置指示器。
【請求項８】
前記第１の指示部に設けられた前記芯体によって形成された筆跡を視覚的に消去するための前記消去部材は、磁性体を含んでいる
ことを特徴とする請求項２に記載の位置指示器。
【請求項９】
前記第１の指示部に設けられた前記芯体によって形成された筆跡を視覚的に消去するための前記消去部材は導電体を含んでいる
ことを特徴とする請求項３に記載の位置指示器。
【請求項１０】
センサと、前記センサに接続された信号処理回路を備え、ペン形状の筐体を備えた位置指示器を前記センサのセンサ面上で操作することで、前記位置指示器で指示される位置が前記位置指示器と前記センサとの間のインタラクションによって検出される筆記情報処理装置であって、
前記位置指示器は、
前記筐体の軸芯方向のそれぞれの端部には、第１の指示部と第２の指示部とを備えているとともに、前記センサと前記第１の指示部及び前記第２の指示部とがインタラクションを引き起こすためのインタラクション回路を備えており、
前記第１の指示部には、前記軸芯方向に前記位置指示器の筐体から突出するように、前記位置指示器の筆記操作に対応した筆跡を視認可能に形成する芯体が設けられているとともに、前記第１の指示部によって前記センサ面上で指示される位置が前記インタラクション回路と前記センサとのインタラクションによって検出されるように、前記インタラクション回路を構成する第１の回路要素が配設されており、
前記第２の指示部には、前記第１の指示部に設けられた前記芯体によって視認可能に形成された筆跡を視覚的に消去するための消去部材が、前記軸芯方向に前記筐体から突出するように設けられているとともに、前記第２の指示部によって前記センサ面上で指示される位置が前記インタラクション回路と前記センサとのインタラクションによって検出されるように、前記インタラクション回路を構成する第２の回路要素が配設されており、
前記第２の指示部に前記筐体から突出するように設けられた前記消去部材は保持部によって保持されており、
前記保持部は前記センサとのインタラクションに寄与する部材を備えることで、前記保持部が前記第２の回路要素と前記センサとのインタラクションに協働するように構成されており、
前記センサ面には、前記位置指示器の前記第１の指示部に設けられた、前記芯体による筆跡を視覚的に記録するシート状部材を位置決めするための位置決め部を備えており、
前記信号処理回路は、前記位置指示器と前記センサとのインタラクションに基づいて、前記センサ面に対する、前記第１の指示部による位置指示操作であるか、前記第２の指示部による位置指示操作であるかを検知し、
前記センサ面に対する前記第１の指示部による位置指示操作の検知に対応して、前記第１の指示部の前記シート状部材への視覚的な筆記操作に対応した位置情報を記録する第１の筆記情報記録処理を行うとともに、
前記センサ面に対する前記第２の指示部による位置指示操作の検知に対応して、前記第２の指示部の操作に対応した位置情報を、前記第１の筆記情報記録処理で記録された筆記情報とは識別可能に記録する第２の筆記情報記録処理を行うようにした
ことを特徴とする筆記情報処理装置。
【請求項１１】
前記第１の筆記情報記録処理で記録される前記位置指示器の前記シート状部材への視覚的な筆記操作に対応した位置情報と、前記第２の筆記情報記録処理で記録される前記位置指示器の筆記操作に対応した位置情報とは、識別情報によって互いが識別可能に記録される
ことを特徴とする請求項１０に記載の筆記情報処理装置。
【請求項１２】
前記識別情報は、前記第２の筆記情報処理で記録される前記位置指示器の筆記操作に対応した位置情報に付加されて記録される
ことを特徴とする請求項１１に記載の筆記情報処理装置。
【請求項１３】
前記センサと前記第１の指示部及び前記第２の指示部とが同一種類のインタラクションを引き起こすように構成されているとともに、
前記センサの前記センサ面に対向する面積は、前記第１の回路要素に対して前記保持部の方が大きい
ことを特徴とする請求項１０に記載の筆記情報処理装置。
【請求項１４】
センサのセンサ面上で指示する位置が前記センサとのインタラクションによって前記センサで検出される、ペン形状の筐体を有する位置指示器であって、
前記筐体の軸芯方向の第１の端部に指示部を備えているとともに、前記センサと前記指示部とがインタラクションを引き起こすためのインタラクション回路を備えており、
前記指示部には、視認可能に形成された筆跡を視覚的に消去するための消去部材が、前記軸芯方向に前記筐体から突出するように設けられているとともに、前記指示部によって前記センサ面上で指示される位置が前記インタラクション回路と前記センサとのインタラクションによって検出されるように、前記インタラクション回路を構成する回路要素が配設されており、
前記指示部に前記筐体から突出するように設けられた前記消去部材は保持部によって保持されており、
前記保持部は前記センサとのインタラクションに寄与する部材を備えることで、前記保持部が前記回路要素と前記センサとのインタラクションに協働するように構成されている
ことを特徴とする位置指示器。
【請求項１５】
前記指示部と前記センサとのインタラクションは、キャパシタンス素子と磁性体に巻回されたインダクタンス素子とから構成された共振回路を備えるインタラクション回路に基づく電磁結合によって引き起こされ、
前記指示部に配設された前記回路要素は前記共振回路を構成する前記磁性体を含むものであり、
前記消去部材を保持する前記保持部は磁性体で構成されていることで、前記共振回路を構成する前記磁性体とともに、前記センサとの前記インタラクションを引き起こす
ことを特徴とする請求項１４に記載の位置指示器。
【請求項１６】
前記指示部と前記センサとの前記インタラクションは、信号発振回路と前記信号発振回路からの出力信号が供給される導電体とから構成された信号発信回路を備えるインタラクション回路に基づく静電結合によって引き起こされ、
前記指示部に配設された前記回路要素は前記信号発信回路を構成する前記導電体を含むものであり、
前記消去部材を保持する前記保持部は導電性部材で構成されていることで、前記信号発信回路を構成する前記導電体とともに、前記センサとの前記インタラクションを引き起こす
ことを特徴とする請求項１４記載の位置指示器。
【請求項１７】
前記保持部は、前記回路要素と一体的に形成されていることを特徴とする請求項１５または請求項１６に記載の位置指示器。
【請求項１８】
前記第１の指示部の前記第１の回路要素による前記センサとのインタラクションによって、前記第１の指示部の、前記第２の指示部の前記消去部材の消去能力に対する記録能力を前記センサに伝達すると共に、
前記第２の指示部の前記第２の回路要素による前記センサとのインタラクションによって、前記第２の指示部の前記消去部材の前記消去能力を前記センサに伝達することで、
前記第１の指示部によって前記センサ面上で形成された筆跡のデータについての消去についての選択性を実現するようにした  ことを特徴とする請求項１に記載の位置指示器。
【請求項１９】
前記第１の指示部の前記第１の回路要素による前記センサとのインタラクションによって、前記第１の指示部の、前記第２の指示部の前記消去部材の消去能力に対する記録能力を前記センサに伝達すると共に、前記第１の指示部によって前記センサ面上で形成された筆跡のデータの消去を許可するか否かを指示するためのフラグ情報を前記センサに伝達する
ことを特徴とする請求項１８に記載の位置指示器。
【発明の詳細な説明】
【技術分野】
【０００１】
この発明は、ボールペンやシャープペンシルなどの、筆記が視覚的に確認可能な筆記具機能を備えると共に、位置検出センサに対して位置指示をすることができる位置指示器及び当該位置指示器と共に使用される筆記情報処理装置に関する。
【背景技術】
【０００２】
用紙にボールペンや鉛筆などの筆記具で手書き入力を行う代わりに、電子ペンなどの位置指示器を用いて、位置指示器の指示位置を検出するセンサを備えた位置検出部を有するタブレット端末などの入力装置に手書き入力することで、位置指示器を使って入力した手書き情報を電子データとして記憶することが、ペーパーレス化の要求に伴い、一般的になってきている。【０００３】
しかしながら、用紙に筆記具で手書き入力をする機会がなくなった訳ではなく、種々の状況で用紙への手書き入力が要求され、しかも、その筆記された用紙を保存したいとする要望が依然として多々あるのが現状である。【０００４】
そのため、センサを備えた位置検出部の入力面上に載置した用紙に、ボールペンや鉛筆などの、筆記が視覚的に確認可能な筆記具の機能を持たせた位置指示器などを使用して、手書き入力をしたときに、その手書き入力された筆記情報を、位置検出部で検出して、電子データとしても記憶することができるようにした入力装置が従来から提供されている。【０００５】
例えば特許文献１（特開２００６−１０７１２４号公報）には、ワープロソフトなどにより原稿を作成し、その原稿を用紙に印刷したときにタブレットの記憶部にその印刷した原稿の画像データを記憶することが開示されている。そして、タブレットの座標データを入力する座標入力部に載置された印刷原稿に、筆記具で加筆したときには、タブレットの座標入力部でその電子的な筆記軌跡（座標データ）を検出して前記記憶部に記憶することが記載されている。これにより、特許文献１においては、記憶部に記憶された座標データと印刷原稿の画像データとを合成することで、加筆された印刷原稿と同様の電子化された文書を得ることができるようにしている。【０００６】
ところで、電子データとしても記憶されている、用紙に筆記された手書き入力された筆記情報を消去した場合には、対応する電子データをも消去する必要がある。この場合、従来は、用紙に手書き入力された筆記情報は、シャープペンシルの場合には、消しゴムを用いて視認可能に消去し、また、筆跡が消去可能なボールペンの場合には、専用のラバーで消去したい箇所を擦ることにより視認可能に消去していた。【０００７】
そして、電子データは、例えば、特許文献２（特開２００７‐２４９６７０号公報）などに記載されている位置指示器のイレーサにより、用紙の筆記情報を消去した位置を指示することで電子的に消去するようにしている。特許文献２の位置指示器においては、筒状の筐体の一方の側（ペン先側）に、例えば樹脂部材からなるペン先と第１の位置指示コイルを備えると共に、ペン先側とは反対側の後端側に、ペン先と同じく樹脂部材によって形成されたイレーサと第２の位置指示コイルとを備える。そして、第１の位置指示コイルから位置検出装置を構成するタブレットに送出する信号と、第２の位置指示コイルからタブレットに送出する信号のパターンを異にするようにしている。【０００８】
位置検出装置では、特許文献２の位置指示器からの信号を監視し、第１の位置指示コイルからの信号を受けたときには、その指示位置を書き込みの入力位置として検出し、第２の位置指示コイルからの信号を受けたときには、その指示位置を消去指示入力位置として検出するようにする。【０００９】
したがって、特許文献２の位置指示器のイレーサによって、消しゴムや専用ラバーで擦って筆記情報を視覚的に消去した用紙の同じ位置を位置指示することで、視覚的に消去した筆記情報に対応する電子データを消去することができる。【００１０】
また、特許文献３（特許第５２５０３０６号公報）には、手書き情報を記録するための専用用紙（アノト用紙）を用いると共に、筆記用デジタルペンと消去用デジタルペンとを用いることで、専用用紙に手書き入力された筆記情報を視覚的に消去したときには、これに対応する電子データを消去することができるデジタルペンデータ処理装置が開示されている。
【先行技術文献】
【特許文献】
【００１１】
【特許文献１】特開２００６−１０７１２４号公報
【特許文献２】特開２００７‐２４９６７０号公報
【特許文献３】特許第５２５０３０６号公報
【発明の概要】
【発明が解決しようとする課題】
【００１２】
上述のように、従来は、用紙に手書き入力をするときには、筆記を視覚的に行うことができる筆記具機能付の位置指示器を用いることにより、用紙に手書き入力による筆記をしたときには、その筆記軌跡に応じた電子データを同時に保存することができるが、その手書き情報を視覚的に消去する際には、消しゴムや専用ラバーを用いて用紙の手書き入力の軌跡を視覚的に消去すると共に、特許文献２に示すようなイレーサを用いて、電子データを別個に消去する必要があり、面倒であった。しかも、用紙の手書き軌跡を視覚的に消去した後に、その消去された手書き軌跡に沿って、イレーサによりトレースするような消去操作が必要であり、電子データについて消去漏れが生じる恐れがあった。【００１３】
特許文献３のデジタルペンを用いる場合には、用紙の手書き軌跡の視覚的な消去操作を消去用デジタルペンにより行うだけで、用紙の手書き軌跡と、対応する電子データとの消去が可能となるというメリットがある。しかしながら、当該特許文献３の場合には、カメラを搭載する特殊な構造のデジタルペンと、このデジタルペンに専用のアノト用紙を用いなければならず、汎用性に欠けるという問題があった。【００１４】
この発明は以上の点に鑑み、特許文献３に記載されたデジタルペンと専用の用紙を用いなくても、シート状の用紙に形成した視認可能な手書き軌跡を視覚的に消去したときには、対応する電子データもまた同時に、かつ良好に消去することが可能な位置指示器及び筆記情報処理装置を提供することを目的とする。
【課題を解決するための手段】
【００１５】
上記の課題を解決するために、請求項１の発明は、
センサのセンサ面上で指示する位置が前記センサとのインタラクションによって前記センサで検出される、ペン形状の筐体を有する位置指示器であって、
前記筐体の軸芯方向のそれぞれの端部には、第１の指示部と第２の指示部とを備えているとともに、前記センサと前記第１の指示部及び前記第２の指示部とがインタラクションを引き起こすためのインタラクション回路を備えており、
前記第１の指示部には、前記軸芯方向に前記位置指示器の筐体から突出するように、前記位置指示器の筆記操作に対応した筆跡を視認可能に形成する芯体が設けられているとともに、前記第１の指示部によって前記センサ面上で指示される位置が前記インタラクション回路と前記センサとのインタラクションによって検出されるように、前記インタラクション回路を構成する第１の回路要素が配設されており、
前記第２の指示部には、前記第１の指示部に設けられた前記芯体によって視認可能に形成された筆跡を視覚的に消去するための消去部材が、前記軸芯方向に前記筐体から突出するように設けられているとともに、前記第２の指示部によって前記センサ面上で指示される位置が前記インタラクション回路と前記センサとのインタラクションによって検出されるように、前記インタラクション回路を構成する第２の回路要素が配設されており、
前記第２の指示部に前記筐体から突出するように設けられた前記消去部材は保持部によって保持されており、
前記保持部は前記センサとのインタラクションに寄与する部材を備えることで、前記保持部が前記第２の回路要素と前記センサとのインタラクションに協働するように構成された位置指示器を提供する。【００１６】
上述の構成の請求項１の発明による位置指示器によれば、第１の指示部に設けられた芯体によって形成された視認可能な筆跡を消去する消去部材により、位置指示器の筆記操作に対応して、芯体により視認可能に形成された筆跡を消去する操作がなされたときには、その消去操作に対応して第２の指示部はセンサ面上を移動する。【００１７】
したがって、センサは、第２の指示部のセンサ面上の移動位置をデータの消去指示位置として検出することができるとともに、前記消去部材が前記第２の指示部にて前記軸芯方向に前記筐体から突出するように設けられる構造であっても、前記消去部材を保持する前記保持部は前記センサとの前記インタラクションに寄与する部材を備えているために、前記第２の指示部が前記消去部材によって前記センサの前記センサ面から離間することになっても、前記センサとのインタラクションを良好に維持することができる。
【発明の効果】
【００１８】
この発明によれば、第２の指示部に、第１の指示部に設けられた芯体によって視認可能に形成された筆跡を視覚的に消去する消去部材が設けられた場合でも、消去部材は、センサとのインタラクションに寄与する部材で構成された保持部によって保持されているために、前記消去部材が設けられた場合でも、保持部によって第２の指示部と位置検出センサとの間のインタラクションを良好に維持することができる位置指示器を提供する。
【図面の簡単な説明】
【００１９】
【図１】この発明による位置指示器の第１の実施形態を含む筆記情報処理装置の構成例を示す図である。
【図２】この発明による位置指示器の第１の実施形態の第１の指示部の構成例を説明するための図である。
【図３】この発明による位置指示器の第１の実施形態の第２の指示部の構成例を説明するための図である。
【図４】この発明による位置指示器の第１の実施形態の電子回路と、図２の例のタブレット端末の電子回路の構成例を示す図である。
【図５】この発明による筆記情報処理装置の実施形態の動作例を説明するためのフローチャートの一部を示す図である。
【図６】この発明による筆記情報処理装置の実施形態の動作例を説明するためのフローチャートの一部を示す図である。
【図７】この発明による位置指示器の第１の実施形態の第２の指示部の他の構成例を説明するための図である。
【図８】この発明による位置指示器の第１の実施形態の第２の指示部の他の構成例に対応した、位置検出部における位置検出方法を説明するための図である。
【図９】この発明による位置指示器の第２の実施形態の第２の指示部の構成例を説明するための図である。
【図１０】この発明による位置指示器の第２の実施形態における第２の指示部からの信号を受信する位置検出部における位置検出方法を説明するための図である。
【図１１】この発明による位置指示器の第２の実施形態の電子回路と、筆記情報処理装置の実施形態の電子回路の構成例を示す図である。
【図１２】この発明による位置指示器及び筆記情報処理装置の第３の実施形態を説明するための図である。
【図１３】この発明による位置指示器の他の実施形態を説明するための図である。
【図１４】この発明による位置指示器の他の実施形態を説明するための図である。
【図１５】この発明による位置指示器の他の実施形態を説明するための図である。
【図１６】この発明による位置指示器の他の実施形態の動作例を説明するためのフローチャートを示す図である。
【発明を実施するための形態】
【００２０】
以下、この発明による位置指示器の幾つかの実施形態を、筆記情報処理装置の実施形態と共に図を参照しながら説明する。
【００２１】
［第１の実施形態］
図１は、この発明による位置指示器の第１の実施形態を含む手書き情報入力装置の構成例を示す図である。この構成例では、手書き情報入力装置は、位置指示器１と、位置検出装置を備える筆記情報処理装置の例としてのタブレット端末２とからなる。なお、図示は省略するが、この例では、タブレット端末２は、Bluetooth（登録商標）あるいはWi-Fi（登録商標）などの無線通信手段を通じて、モバイル端末またはサーバーなどにネットワーク接続されている。モバイル端末またはサーバーは、タブレット端末２で入力された手書き情報に基づく信号処理を行うとともに、手書き情報を記憶する記憶部を備える。なお、モバイル端末の機能をタブレット端末２に組み込むこともできる。また、タブレット端末２は、モバイル端末ではなく、固定場所に設置されているパソコンなどに接続されていてもよい。
【００２２】
以下に、タブレット端末２と、位置指示器１の構成例について説明する。説明の簡単化のため、以下においては、位置指示器は、電子ペンと称する。なお、以下に説明する第１の実施形態は、電子ペン１とタブレット端末２の位置検出部のセンサとが、電磁結合によるインタラクションによって、位置検出部が電子ペン１により指示された位置を検出する場合の例である。
【００２３】
図１に示すように、この構成例のタブレット端末２は、電子ペン１による指示入力面を用紙などのシート状部材の載置面２Ｓとしている。そして、この例のタブレット端末２は、載置面２Ｓの上端部に、シート状部材としての手書き情報入力用紙３を挟持してタブレット端末２の指示入力面である載置面２Ｓ上に固定するクリップ部材２１を備えており、板状の外観形状を備えた、いわゆるクリップボード、あるいはバインダーなどと呼ばれて広く利用されている文房具と同様の外観を有する。この例においては、載置面２Ｓの裏面側であるタブレット端末２の内部には、電磁誘導方式（電磁結合）のインタラクションを用いた位置検出部２００が配設されている。
【００２４】
この例では、手書き情報入力用紙３の大きさは、タブレット端末２の位置検出部２００が備えるセンサの位置検出エリアの大きさに対応したものとされ、この例では、Ａ４サイズとされている。そして、この例では、手書き情報入力用紙３には、その上端に、それぞれの手書き情報入力用紙３を識別するための識別情報（以下、ペーパーＩＤという）が印刷されている。この例では、ペーパーＩＤとしてバーコードが印刷されている。ペーパーＩＤは、バーコードに限られるものではないことは言うまでもない。
【００２５】
そして、この実施形態のタブレット端末２には、電源ボタン２３が設けられている。タブレット端末２は、図示を省略したが、充電式のバッテリーを備えており、電源ボタン２３がオンとされることで、バッテリーから駆動電圧が供給されてタブレット端末２が起動する。
【００２６】
そして、タブレット端末２のクリップ部材２１は、板状体の構成部品とバネ部材（図示は省略）とで構成されており、板状体の構成部品には、終了ボタン２４と、ビープスピーカ２５が設けられている。ビープスピーカ２５は、種々の状態をビープ音により利用者に報知するためのものである。
【００２７】
また、クリップ部材２１の板状部材の、載置面２Ｓに載置された手書き情報入力用紙３と対向する面側には、ペーパーＩＤの読取部の例としてのバーコードリーダ２２が設けられている。さらに、タブレット端末２のクリップ部材２１の板状体が位置する部分には、手書き情報入力用紙３がクリップ部材２１により挟持されて係止されている状態であるか否かを検知する用紙装着センサ２６が設けられている。
【００２８】
この用紙装着センサ２６は、光学的に手書き情報入力用紙３の装着有無を検出するもので、この例では、載置面２Ｓ側に光源または受光部の一方を配設し、クリップ部材２１の側に光源または受光部の他方を配設する。手書き情報入力用紙３が装着されたことは、光源と受光部との間が用紙により遮断されているか否かにより、検出する。
【００２９】
タブレット端末２のクリップ部材２１は、この例では、手書き情報入力用紙３の上端の、バーコードが形成されている部分をも含む領域を覆うようにして、手書き情報入力用紙３を押さえて係止させるように構成されている。そして、バーコードリーダ２２は、手書き情報入力用紙３が載置面２Ｓの既定位置に載置されてクリップ部材２１により係止されたときに、手書き情報入力用紙３に印刷されているバーコードの位置と対向するように設けられている。
【００３０】
この第１の実施形態の電子ペン１は、図１に示すように、筒状の筐体１１の軸心方向の一方の端部側に、第１の指示部の例としての電子ペン機能部１２を備えると共に、筐体１１の軸心方向の他方の端部側に、第２の指示部の例としての電子消しゴム機能部１３を備える。この第１の実施形態の電子ペン１では、電子ペン機能部１２及び電子消しゴム機能部１３は、タブレット端末２の位置検出部２００のセンサとの間で、電磁結合によるインタラクションが行われるように構成されている。そして、タブレット端末２の位置検出部２００では、センサ上における電子ペン機能部１２または電子消しゴム機能部１３による指示位置が検出できるように構成されている。
【００３１】
また、この実施形態の電子ペン１は、電子ペン機能部１２と、電子消しゴム機能部１３とを切り替えるスイッチ１４を備える。この例では、このスイッチ１４はスライドスイッチの構成とされており、図１において、スライド操作子１４ａがマークＰ側に切り替えられるときには、電子ペン１の電子ペン機能部１２が動作し、スライド操作子１４ａがマークＥ側に切り替えられるときには、電子ペン１の電子消しゴム機能部１３が動作するように構成されている。
【００３２】
電子ペン１の電子ペン機能部１２は、位置検出部２００に対して、電磁結合により位置検出用信号を送出すると共に、タブレット端末２の載置面に係止された手書き情報入力用紙３に、ボールペンあるいは鉛筆（シャープペンシルでもよい）などを使用した視認可能な筆記と同様に、筆跡を視認可能に筆記する機能を備える。この例では、電子ペン機能部１２に設けられる芯体１２１をボールペンの替え芯と同様の構成を有するもので構成することで、手書き情報入力用紙３に、ボールペンでの筆記と同じように、視認可能に筆記されるように構成されている。この例では、芯体１２１に充填されるインクとして、温度変化により無色となって、手書き情報入力用紙３に形成されている筆記情報が消去可能であるフリクションインクが用いられる。
【００３３】
電子消しゴム機能部１３は、電子ペン機能部１２の芯体１２１により形成された筆跡を視覚的に消去する部材としての消去部材１３１を備えると共に、位置検出部２００に対して、電磁結合によるインタラクションにより消去指示信号を送出する機能を備える。この例においては、消去部材１３１は、手書き情報入力用紙３を摩擦することで生じる摩擦熱によって、手書き情報入力用紙３に芯体１２１のボールペン機能により形成された筆記情報を無色にして視覚的に消去する部材とされる。
【００３４】
したがって、電子ペン１の使用者は、電子ペン１のボールペン機能により手書き情報入力用紙３に視認可能に筆記すると共に、その電子データを記憶しようとするときには、スイッチ１４のスライド操作子１４ａをマークＰ側に切り替える。そして、使用者は、タブレット端末２上にクリップ部材２１によって係止された手書き情報入力用紙３に対して、電子ペン１の電子ペン機能部１２のボールペン機能を用いて、視認可能に文字や記号を筆記したり、絵を描画したりする。このとき、同時に、電子ペン１の電子ペン機能部１２から位置検出部２００に向けて位置検出用信号が送信される。位置検出部２００は、この位置検出用信号を受信して、手書き情報入力用紙３上に形成された筆跡に対応する指示位置を検出する。
【００３５】
タブレット端末２は、この位置検出部２００により検出した電子ペン１の指示位置の座標データを、筆跡の電子データとして、バーコードリーダ２２で読み取った手書き情報入力用紙３のペーパーＩＤを付加してモバイル端末またはサーバーに送信する。タブレット端末２は、この例では、モバイル端末へ無線送信するもので、そのためのコントローラ及び無線通信部を備えている。なお、この実施形態のタブレット端末２は、モバイル端末に電子データを送信するためのバッファメモリ（一時記憶部）を有する。
【００３６】
したがって、この例の手書き情報入力装置においては、手書き情報入力用紙３に筆記された情報を、別途、イメージリーダなどにより電子データとして取り込むといった手間をかけることなく、手書き情報入力用紙３に筆記された情報をリアルタイムに電子データとしての座標データ（筆記データ）として取得することができる。
【００３７】
なお、タブレット端末２がモバイル端末の機能をも有する場合には、位置検出部２００で検出された筆記データは、内蔵する記憶部に記憶されるものである。
【００３８】
そして、電子ペン１の使用者は、手書き情報入力用紙３に形成された視認可能な筆跡や描画像部分を消去しようとする場合には、スイッチ１４のスライド操作子１４ａをマークＥ側に切り替える。そして、電子ペン１の使用者は、手書き情報入力用紙３に形成された筆跡や描画像部分を、電子ペン１の電子消しゴム機能部１３の消去部材１３１により擦ることにより、視覚的に消去する。このとき、同時に、電子消しゴム機能部１３から消去指示信号が、位置検出部２００に対して送出される。
【００３９】
位置検出部２００では、電子ペン１の電子消しゴム機能部１３と位置検出部２００のセンサとの間の電磁結合によるインタラクションにより、電子消しゴム機能部１３からの消去指示信号を受信すると、当該電子消しゴム機能部１３から受信した消去指示信号による消去指示位置を検出する。
【００４０】
そして、タブレット端末２は、位置検出部２００で検出した消去指示位置の座標データに、電子ペン機能部１２による指示位置と電子消しゴム機能部１３による指示位置とを識別するための消去用の識別情報、例えば消去フラグなどの付加情報が付加された消去情報を関連付ける。消去指示位置の座標データと消去情報は、バーコードリーダ２２で読み取った手書き情報入力用紙３のペーパーＩＤとともにモバイル端末またはサーバーに送信する。
【００４１】
なお、電子ペン機能部１２による指示位置に応じた筆跡の座標情報（筆跡情報）にも、筆跡用の識別情報を付加することで、消去情報と区別するようにしてもよいし、消去情報と、筆跡情報との両方に、互いに異なる識別情報を付加するようにしてもよい。
【００４２】
タブレット端末２とネットワーク接続された、例えばモバイル端末では、消去情報が付加された、ペーパーＩＤに対応付けられた筆記情報をタブレット端末２から受け取ると、消去情報が付加された筆記情報で指示される消去指示位置に対応した、ペーパーＩＤに対応付けられて記憶されている筆記情報を視覚的に消去する消去処理を行うという、実時間関連処理（リアルタイム・コラボレーション処理）を行う。
【００４３】
なお、タブレット端末２が、モバイル端末の機能を備えている場合には、その記憶部に記憶されている筆記情報に対して、同様の消去処理を行う。
【００４４】
以上のようにして、電子消しゴム機能部１３に設けられた消去部材１３１により、手書き情報入力用紙３から筆跡や描画像が視認可能に消去されるときには、その手書き情報入力用紙３のペーパーＩＤに対応付けられて記憶されている筆記情報もまた消去操作に応じて自動的に消去処理される。
【００４５】
［電子ペン１の電子ペン機能部１２の構成例］
図２は、この実施形態の電子ペン１の電子ペン機能部１２の構成例を示す図である。この図２に示すように、電子ペン１の筐体１１内のペン先部側には、コイル１２２が巻回された磁性体コア、この例ではフェライトコア１２３が収納される。
【００４６】
フェライトコア１２３は、例えば円柱状のフェライト材料に、この例ではシート状部材に視認可能に筆記することができる筆記具としての機能を備えた芯体１２１を挿通するための軸心方向に所定の径の貫通孔１２３ａが形成されている。芯体１２１は、フェライトコア１２３の軸心方向の長さよりも長く構成されている。また、フェライトコア１２３の当該貫通孔１２３ａに挿入される芯体１２１は、当該貫通孔の径よりもやや小さい径を有するものとされており、フェライトコア１２３の貫通孔１２３ａ内を軸心方向に摺動移動可能となるように構成されている。
【００４７】
なお、芯体１２１のペン先となる先端部１２１ａは、筐体１１の端部の開口１１ａを通じて外部に突出するようにされており、先端部１２１ａによってシート状部材に視認可能に筆記される。
【００４８】
フェライトコア１２３に巻回されたコイル１２２の巻き始め端及び巻き終わり端からのリード線（図示は省略）は、筐体１１の中空部内においてプリント基板１５まで延伸されて、プリント基板１５に設けられているキャパシタンス素子としてのキャパシタ１６に接続される。インダクタンス素子であるコイル１２２とプリント基板１５上のキャパシタ１６とによって共振回路を構成し、図２において矢印で模式的に示すように、タブレット端末２の位置検出部２００との間において、電磁結合によるインタラクションにて、相互に信号を送受するインタラクション回路を構成している。すなわち、この例では、電子ペン機能部１２は、インダクタンス素子としてのコイル１２２とキャパシタンス素子としてのキャパシタ１６とからなる共振回路を含む、タブレット端末２の位置検出部２００との間での電磁結合によるインタラクションのための、インタラクション回路を備えており、共振回路により、位置検出部２００に対して位置検出用信号を送出するように構成されている。また、フェライトコア１２３は、インタラクション回路を構成する第１の回路要素とされる。
【００４９】
そして、筐体１１の中空部内において、コイル１２２が巻回されているフェライトコア１２３の、ペン先側とは反対側には、筆圧検出部１２４が設けられている。この筆圧検出部１２４は、モールド部１２４０により保持される。
【００５０】
この例では、モールド部１２４０の内部には、図２に示すように、芯体保持部１２４１、導電ゴム１２４２、リングスペーサ１２４３、誘電体１２４４、端子部材１２４５が設けられている。これらの各部が、モールド部１２４０に保持されることで、筆圧を検出する筆圧検出部１２４を構成する。
【００５１】
芯体保持部１２４１は、例えば硬質ゴム等によりカップ状に形成され、芯体１２１のペン先側とは反対側の端部部分が挿脱自在に差し込まれて、これを保持する。芯体保持部１２４１は、芯体１２１に加えられる筆圧に応じて、リングスペーサ１２４３を介して導電ゴム１２４２を誘電体１２４４側に押圧する押圧部として機能する。
【００５２】
誘電体１２４４の導電ゴム１２４２側とは反対側の面には、所定の面積を有する端子部材１２４５が設けられている。導電ゴム（第１の電極）１２４２と端子部材（第２の電極）１２４５とが誘電体１２４４を介して対向することで可変容量キャパシタが構成されており、芯体１２１に印加される筆圧はこの可変容量キャパシタの静電容量の変化として検出される。
【００５３】
この実施形態では、筆圧検出部１２４を構成する可変容量キャパシタは、コイル１２２に対して、キャパシタ１６と共に、並列に接続されて、共振回路の一部を構成するようにされている。可変容量キャパシタの静電容量変化に応じて変化する共振回路の周波数が位置検出装置で検出されることで、位置検出装置において、電子ペン１の電子ペン機能部１２の芯体１２１に印加された筆圧を検出する。
【００５４】
この例において、芯体保持部１２４１、導電ゴム１２４２、リングスペーサ１２４３、誘電体１２４４、端子部材１２４５により構成される筆圧検出部１２４は、例えば特許文献：特開平５−２７５２８３号公報に記載されている周知の構成の筆圧検出手段と同様のものである。また、筆圧検出部１２４は、特開２０１１−１８６８０３号公報に記載されている周知の構成の筆圧検出手段と同様に構成することもできる。また、例えば、特開２０１３−１６１３０７号公報に開示されているような筆圧に応じて静電容量を可変とする半導体素子を用いた構成とすることもできる。
【００５５】
なお、筆圧検出部１２４で検出された筆圧情報は、モバイル端末では、例えば筆跡の太さに対応付けられるように利用される。
【００５６】
［電子ペン１の電子消しゴム機能部１３の構成例］
図３は、この実施形態の電子ペン１の電子消しゴム機能部１３の構成例を示す図である。この図３に示すように、電子ペン１の筐体１１内のペン先部側とは反対側の後端部には、手書き情報入力用紙３に形成された筆跡を視覚的に消去するための消去部材１３１が、消去部材１３１の保持部の例としての消しゴムケース１３２に収納されて設けられている。
【００５７】
消去部材１３１は、前述したように、この例では、用紙にフリクションインクで形成された筆跡を擦ることで筆跡を無色と成して、筆跡を視覚的に消去することができるラバーで構成される。
【００５８】
消去部材１３１を保持する保持部としての消しゴムケース１３２は、外観が例えば円柱形状であって、位置検出部２００との電磁結合によるインタラクションに寄与する部材であるフェライトなどの磁性体で構成されている。この消しゴムケース１３２は、その円柱の中心線方向の一方側に、消去部材１３１の一部を嵌合収納する凹部１３２ａを備える。消去部材１３１は、消しゴムケース１３２の凹部１３２ａ内に嵌合されて容易には外れないように構成されている。消しゴムケース１３２は、フェライトなどの磁性体で構成されているために位置検出部２００との電磁結合によるインタラクションを良好に維持することができる。
【００５９】
この実施形態では、更に、磁性体粉を消去部材１３１に混入させることで、消去部材１３１自体も磁性体として機能させることで、前記位置検出部２００との前記インタラクションを一層良好に維持させるように構成されている。
【００６０】
この例の消しゴムケース１３２においては、円柱の中心線方向の他方側にも凹部１３２ｂが形成されている。そして、この凹部１３２ｂ内には、弾性体からなるＯリング１３３が配設されると共に、そのＯリング１３３に端面が衝合するように、磁性体コア、この例では円柱状のフェライトコア１３５の一端側が挿入される。この場合、凹部１３２ｂの内径は、フェライトコア１３５の外径よりも大きくされており、消しゴムケース１３２の凹部１３２ｂ内において、フェライトコア１３５が、その中心線方向（軸心方向）に変位可能とされている。
【００６１】
フェライトコア１３５には、コイル１３４が巻回されている。このフェライトコア１３５に巻回されたコイル１３４の巻き始め端及び巻き終わり端からのリード線（図示は省略）は、筐体１１の中空部内においてプリント基板１５まで延伸されて、プリント基板１５に設けられているキャパシタ１７に接続される。インダクタンス素子としてのコイル１３４とプリント基板１５上のキャパシタンス素子としてのキャパシタ１７とによって構成された共振回路もまた、タブレット端末２の位置検出部２００との間での電磁結合によるインタラクションのための、上述したインタラクション回路を構成しており、共振回路により、位置検出部２００に対して位置検出用信号（消去指示信号）を送出する。また、電磁結合によるインタラクションによって、相互に信号を送受することができる（図３における矢印参照）。
【００６２】
この例では、電子消しゴム機能部１３は、このコイル１３４とキャパシタ１７とからなる共振回路を含む、タブレット端末２の位置検出部２００との間での電磁結合によるインタラクションのためのインタラクション回路を備えており、共振回路により、位置検出部２００に対して消去指示信号を送出するように構成されている。また、フェライトコア１３５は、インタラクション回路を構成する第２の回路要素とされる。この例では、消去指示信号は、コイル１３４を含む共振回路で生成され、フェライトコア１３５、磁性体からなる消しゴムケース１３２及び磁性体が含有された消去部材１３１によって形成された磁路を通じて、位置検出部２００に対して送出される。
【００６３】
そして、この電子消しゴム機能部１３においては、消去部材１３１を手書き情報入力用紙３に押し当てて擦る操作をしたときには、消去部材１３１の先端にかかる圧力（消去圧力という）により、消しゴムケース１３２が、Ｏリング１３３の弾性に応じてフェライトコア１３５側に近づくように変位する。このため、コイル１３４、フェライトコア１３５及び磁性体で構成された消しゴムケース１３２を含めた構造体のインダクタンス値が変化し、コイル１３４とキャパシタ１７とで構成される共振回路の共振周波数が変化する。
【００６４】
電子消しゴム機能部１３においては、消去部材１３１に印加される消去圧力をこのインダクタンス値の変化として検出する。すなわち、消しゴムケース１３２と、Ｏリング１３３と、コイル１３４が巻回されているフェライトコア１３５とにより、印加された圧力に応じてインダクタンス値が変化することで共振周波数が変化する消去圧力検出部が構成されている。
【００６５】
そして、この実施形態では、コイル１３４とキャパシタ１７とで構成される共振回路の共振周波数が消去圧力に応じて変化するので、この共振周波数の変化を、位置検出部２００で検出することで、位置検出部２００において、電子ペン１の電子消しゴム機能部１３の消去部材１３１に印加されている消去圧力を検出する。検出された消去圧力は、モバイル端末では、例えば、消去指示されたエリアの大きさに対応付けることができる。
【００６６】
上述の例では、消去部材１３１に磁性体粉を混入させて、消去部材１３１も磁性体として機能させるように構成したが、この第１の実施形態の電子ペン１においては、消去部材１３１を保持する保持部としての消しゴムケース１３２が、位置検出部２００との電磁結合によるインタラクションを良好に維持できるように、フェライトコア１３５と同様に、コイル１３４による磁路を形成する磁路材としての磁性体で構成されていればよく、消去部材１３１は、必ずしも磁性体として機能させるようにしなくてもよい。
【００６７】
［電子ペン１及びタブレット端末２の位置検出部２００の電子回路構成例］
図４は、この実施形態の電子ペン１の等価回路と、この電子ペン１の電子ペン機能部１２と電磁結合によるインタラクションによって位置検出及び筆圧検出を行い、また、電子ペン１の電子消しゴム機能部１３と電磁結合によるインタラクションによって消去位置検出及び消去圧力検出を行う、タブレット端末２の位置検出部２００の回路構成例とを示す図である。
【００６８】
この図４の例のタブレット端末２の位置検出部２００は、センサ２１２と座標データ生成部２０１とコントローラ２０２を備えている。センサ２１２においては、Ｘ軸方向ループコイル群２１２１と、Ｙ軸方向ループコイル群２１２２とが積層されて形成されていると共に、２つのループコイル群２１２１，２１２２のうちの一のループコイルを順次選択する選択回路２１２３が設けられている。
【００６９】
位置検出部２００の座標データ生成部２０１は、選択回路２１２３に接続されており、選択回路２１２３におけるループコイルの選択を制御する。また、座標データ生成部２０１は、所定の周波数の交流信号を選択回路２１２３で選択したループコイルを通じて送出する送信回路と、その送出した交流信号が電子ペン１の後述する共振回路１２Ｒまたは１３Ｒを介して、帰還されてくる信号を受信する受信回路を備えており、送信動作と受信動作とを時分割で行う。そして、座標データ生成部２０１の受信回路は、選択回路２１２３で選択したループコイルからの受信信号の受信レベルに基づいて、電子ペン１の電子ペン機能部１２または電子消しゴム機能部１３によるセンサ２１２上の指示位置座標を検出する。座標データ生成部２０１では、また、電子ペン１からの信号から芯体１２１に印加される筆圧や、消去部材１３１に印加される圧力を検出する。
【００７０】
そして、座標データ生成部２０１は、検出した電子ぺン１の電子ペン機能部１２または電子消しゴム機能部１３によるセンサ２１２上の指示位置の座標データ及び筆圧や圧力の検出出力はコントローラ２０２に供給されて信号処理される。
【００７１】
コントローラ２０２は、座標データ生成部２０１から受け取った電子ペン１の電子ペン機能部１２または電子消しゴム機能部１３による指示位置の情報と筆圧情報とを一時記憶する。そして、コントローラ２０２は、ユーザＩ／Ｆ２０３を通じて、バーコードリーダ２２で手書き情報入力用紙３から読み取られたバーコードを、ペーパーＩＤとして取得し、その取得したペーパーＩＤの情報を、一時記憶している情報に対応付けて記憶する。
【００７２】
そして、コントローラ２０２は、電子ペン１の電子ペン機能部１２または電子消しゴム機能部１３による指示位置の情報と、検出した圧力（筆圧）の情報と、そのペーパーＩＤとしての情報を、無線通信部（図示せず）からモバイル端末に無線送信するようにする。
【００７３】
また、コントローラ２０２は、用紙装着センサ２６のセンサ出力から、手書き情報入力用紙３が載置面２Ｓに置かれてクリップ部材２１により係止されたことを検知したときには、バーコードリーダ２２を起動するように制御したり、ビープスピーカ２５からのビープ音の放音を制御したりするなどの制御動作をする。
【００７４】
電子ペン１は、図４に示すように、ＩＣ１００で構成される信号制御回路を備えていると共に、このＩＣ１００を駆動するための駆動電圧を、タブレット端末２の位置検出部２００のセンサ２１２のループコイル群２１２１，２１２２から送信された信号を励磁信号として取得するように構成されている。なお、Ｘ軸方向ループコイル群２１２１と、Ｙ軸方向ループコイル群２１２２とを取り囲むようにして、励磁コイルを別途設けて、この励磁コイルから、電子ペン１に励磁信号を供給するように構成してもよい。
【００７５】
電子ペン１の電子ペン機能部１２においては、コイル１２２に並列にキャパシタ１６及び筆圧検出部１２４を構成する可変容量キャパシタ１２４Ｃが接続されて、共振回路１２Ｒが構成される。可変容量キャパシタ１２４Ｃの静電容量が筆圧に応じて変化することから、筆圧検出部１２４で検出された筆圧情報は、共振回路１２Ｒの共振周波数（位相）の変化として位置検出部２００に伝送される。位置検出部２００の座標データ生成部２０１では、受信した信号の周波数（位相）の変化から筆圧情報を検出する。
【００７６】
そして、この共振回路１２Ｒに並列に、スイッチ１２５が接続されている。このスイッチ１２５は、ＩＣ１００によりオン・オフ制御され、このスイッチ１２５がオフのときには、共振回路１２Ｒによる位置検出部２００のセンサ２１２からの信号に対する共振動作がなされる。スイッチ１２５がオンのときには、コイル１２２に並列に接続されているキャパシタ１６及び可変容量キャパシタ１２４Ｃが短絡されて、共振回路１２Ｒによるセンサ２１２からの信号に対する共振動作がオフとなる。
【００７７】
また、電子ペン１の電子消しゴム機能部１３においては、コイル１３４に並列にキャパシタ１７が接続されて、共振回路１３Ｒが構成される。この場合、フェライトコア１３５に巻回されたコイル１３４は、消去圧力検出部を構成する可変インダクタンス素子として構成される。
【００７８】
消去圧力検出部で検出された圧力情報は、共振回路１３Ｒの共振周波数（位相）の変化として位置検出部２００に伝送される。位置検出部２００の座標データ生成部２０１では、受信した信号の周波数（位相）の変化から圧力情報を検出する。
【００７９】
そして、この共振回路１３Ｒに並列に、スイッチ１３６が接続されている。このスイッチ１３６は、ＩＣ１００によりオン・オフ制御されるように構成されている。このスイッチ１３６がオフのときには、共振回路１３Ｒによる位置検出部２００のセンサ２１２からの信号に対する共振動作がなされる。しかし、スイッチ１３６がオンのときには、コイル１３４に並列に接続されているキャパシタ１７が短絡されて、共振回路１３Ｒによるセンサ２１２からの信号に対する共振動作がオフとなる。
【００８０】
そして、ＩＣ１００は、共振回路１２Ｒまたは共振回路１３Ｒにてタブレット端末２の位置検出部２００のセンサ２１２から電磁結合によるインタラクションによって受信した交流信号を、ダイオード１０１及びキャパシタ１０２からなる整流回路（電源供給回路）１０３にて整流して得られる電源電圧Ｖｃｃにより動作するように構成されている。ＩＣ１００は、共振回路１２Ｒ、また、共振回路１３Ｒとは、それぞれキャパシタ１０４、また、キャパシタ１０５を介して接続されており、共振回路１２Ｒ，１３Ｒの動作状況をモニターしている。ＩＣ１００は、共振回路１２Ｒ，１３Ｒの動作状況をモニターすることで、センサ２１２との電磁結合状況、あるいは、この例では説明を省略するが、２つのループコイル群２１２１，２１２２を使用して位置検出部２００のセンサ２１２から送信された制御データなどの信号を検出し、所望の動作制御を行うことができるようになっている。
【００８１】
そして、ＩＣ１００には、スイッチ１４が接続されている。ＩＣ１００は、スイッチ１４のスライド操作子１４ａがマークＰ側に切り替えられると、共振回路１２Ｒを動作可能とし、スライド操作子１４ａがマークＥ側に切り替えられると、共振回路１３Ｒを動作可能とするように制御する。すなわち、ＩＣ１００は、共振回路１２Ｒを動作可能とするときには、共振回路１３Ｒのスイッチ１３６を常時オンとして、この共振回路１３Ｒからのセンサ２１２からの信号のセンサ２１２への帰還を停止すると共に、共振回路１２Ｒのスイッチ１２５を、オン・オフ制御して、位置検出用信号として第１の断続パターンで位置検出部２００に送出する。
【００８２】
また、ＩＣ１００は、共振回路１３Ｒを動作可能とするときには、共振回路１２Ｒのスイッチ１２５を常時オンとして、この共振回路１２Ｒからのセンサ２１２からの信号のセンサ２１２への帰還を停止すると共に、共振回路１３Ｒのスイッチ１３６を、オン・オフ制御して、消去指示信号として、共振回路１２Ｒのスイッチ１２５によるオン・オフ制御に基づく第１の断続パターンとは異なる第２の断続パターンで位置検出部２００に送信する。第１の断続パターンと第２の断続パターンとの異ならせ方としては、例えばバースト状信号の連続信号期間の長さを変える、バースト状信号の間欠周期を変える、などの方法が用いられる。
【００８３】
なお、バースト状信号の周波数を変える（共振回路１２Ｒと共振回路１３Ｒの共振周波数を変える）ことで、位置検出部２００で、受信した信号が、電子ペン機能部１２からの信号か、電子消しゴム機能部１３からの信号かを判別することも可能である。更には、電子ペン１の電子ペン機能部１２から送信される信号の信号レベルと電子消しゴム機能部１３から送信される信号のレベルとを互いに異ならしめて設定することで、位置検出部２００で受信した信号の信号レベルに基づいて、電子ペン機能部１２による操作であるか、電子消しゴム機能部１３による操作であるかを判別することもできる。
【００８４】
［タブレット端末２の処理動作例］
この実施形態のタブレット端末２の処理動作例を、図５〜図６のフローチャートを参照しながら説明する。なお、以下に説明する処理は、一部は座標データ生成部２０１が行う処理が含まれるが、全てコントローラ２０２が行う処理として説明する。
【００８５】
タブレット端末２において、電源ボタン２３により電源が投入されると、コントローラ２０２は、手書き情報入力用紙３が、載置面２Ｓに載置されてクリップ部材２１により係止されて装着されたか否かを、用紙装着センサ２６のセンサ出力から判別する（ステップＳ２０１）。このステップＳ２０１で、手書き情報入力用紙３が載置面２Ｓに載置されてはいないと判別したときには、コントローラ２０２は、電子ペン１からの信号を受信したか否か判別する（ステップＳ２０２）。
【００８６】
このステップＳ２０２で、電子ペン１からの信号を受信してはいないと判別したときには、コントローラ２０２は、処理をステップＳ２０１に戻し、このステップＳ２０１以降の処理を繰り返す。また、ステップＳ２０２で、電子ペン１からの信号を受信したと判別したときには、手書き情報入力用紙３が載置されていないので、ビープスピーカ２５からビープ音を放音して警報報知する（ステップＳ２０３）。そして、コントローラ２０２は、処理をステップＳ２０１に戻し、このステップＳ２０１以降の処理を繰り返す。
【００８７】
ステップＳ２０１で、手書き情報入力用紙３が載置面２Ｓに載置されたと判別したときには、コントローラ２０２は、バーコードリーダ２２により、ペーパーＩＤに対応づけられたバーコード情報を読み取る（ステップＳ２０４）。
【００８８】
そして、コントローラ２０２は、バーコードの読み取りが不可であるか否か判別し（ステップＳ２０５）、読み取りが不可であると判別したときには、ビープスピーカ２５からビープ音を発生させて警報報知し（ステップＳ２０６）、その後、処理をステップＳ２０５に戻す。このビープ音の警報報知に応じて、利用者は、手書き情報入力用紙３を載置面２Ｓに正しく装着し直すなど、バーコードの読み取りが可能となるような処置をする。
【００８９】
そして、ステップＳ２０５で、バーコードの読み取りが可能であると判別したときには、コントローラ２０２は、バーコードリーダ２２で読み取られたバーコード情報（ペーパーＩＤ）を取得し、その取得したバーコードの情報を記憶すると共に、モバイル端末に送信する（ステップＳ２０７）。
【００９０】
次に、コントローラ２０２は、電子ペン１からの信号の受信を待ち（ステップＳ２０８）、電子ペン１からの信号を受信したと判別したときには、受信した信号が筆記のための位置検出用信号か、あるいは消去のための消去指示信号かを判別する（ステップＳ２０９）。このステップＳ２０９での判別は、この例では、座標データ生成部２０１で、受信信号の断続パターンに基づいて判別する。
【００９１】
このステップＳ２０９では、例えば、共振回路１２Ｒの共振周波数と共振回路１３Ｒの共振周波数とは互いに識別可能な共振周波数を備えており、受信信号の共振周波数から、受信信号が筆記のための位置検出用信号であると判別したときには、コントローラ２０２は、検出した電子ペン機能部１２により指示された指示位置の座標情報と、筆圧情報とを、ステップＳ２０７で取得したペーパーＩＤに対応付けてモバイル端末に送信する（図６のステップＳ２１１）。
【００９２】
ステップＳ２０９で、受信信号の共振周波数から、受信信号が消去指示信号であると判別したときには、コントローラ２０２は、検出した電子消しゴム機能部１３により指示された指示位置の座標情報（消去位置の情報）と、消去圧力情報とを、ステップＳ２０７で取得したペーパーＩＤに対応付けてモバイル端末に送信する（図６のステップＳ２１２）。
【００９３】
ステップＳ２１１及びステップＳ２１２の次に、コントローラ２０２は、終了ボタン２４が操作されたか否か判別する（ステップＳ２１３）。このステップＳ２１３で、終了ボタン２４が操作されてはいないと判別したときには、コントローラ２０２は、手書き情報入力用紙３が差し替えられたか否かを、用紙装着センサ２６のセンサ出力に基づいて判別する（ステップＳ２１４）。すなわち、載置面２Ｓに載置されていた手書き情報入力用紙３が差し替えのために、クリップ部材２１から外されて取り除かれると、用紙装着センサ２６は受光部で発光部の光を受光可能となるので一旦オンとなり、その後、手書き情報入力用紙３が載置面２Ｓに載置され、クリップ部材２１により係止される状態となると、用紙装着センサ２６は受光部で発光部の光を受光できなくなるのでオフとなって、手書き情報入力用紙３の差し替えが検出される。
【００９４】
ステップＳ２１４で、用紙が差し替えられてはいないと判別したときには、コントローラ２０２は、処理を図５のステップＳ２０８に移行させ、このステップＳ２０８以降の、同じ手書き情報入力用紙３に対する電子ペン１による手書き情報入力及び手書き情報消去入力についての処理を繰り返す。
【００９５】
また、ステップＳ２１４で、手書き情報入力用紙３が差し替えられたと判別したときには、コントローラ２０２は、処理を図５のステップＳ２０４に移行させ、このステップＳ２０４以降の、手書き情報入力用紙３が載置面２Ｓに載置されたときの処理を繰り返す。
【００９６】
そして、ステップＳ２１３で、終了ボタン２４が操作されたと判別したときには、コントローラ２０２は、載置面２Ｓに載置されている手書き情報入力用紙３に対する手書き情報入力及び手書き情報消去入力が終了したとして、その終了通知をモバイル端末に送信する（ステップＳ２１５）。
【００９７】
モバイル端末は、この終了通知を受け取ると、終了承認通知をタブレット端末２に対して送信する。そこで、コントローラ２０２は、モバイル端末からの終了承認通知を待つ（ステップＳ２１６）。
【００９８】
そして、ステップＳ２１６で、モバイル端末から終了承認通知を受信したと判別したときには、コントローラ２０２は、ビープスピーカ２５から終了承認を指示するビープ音を放音する（ステップＳ２１７）。ここで、終了承認のビープ音は、他の警報報知のためのビープ音とは異なるものとされ、例えば警報報知のビープ音が「ビー」という長音である場合には、「ピッ、ピッ」というような短音の連続とされて、互いが識別可能なビープ音で報知される。
【００９９】
このステップＳ２１７の次には、コントローラ２０２は、電源ボタン２３が操作されて電源オフとされたか否か判別し（ステップＳ２１８）、電源オフとされてはいないと判別したときには、処理をステップＳ２１４に移行させ、このステップＳ２１４以降の処理を繰り返す。また、ステップＳ２１８で、電源オフとされたと判別したときには、コントローラ２０２は、全ての処理ルーチンを終了させた後に電源をオフする。
【０１００】
［第１の実施形態の効果］
以上のように、この実施形態の電子ペン１によれば、消去部材１３１により手書き情報入力用紙３に形成されている筆跡に対し擦るなどの操作を行うことで、手書き情報入力用紙３上の筆跡を視覚的に消去するとともに、視覚的に消去された筆跡に対応して記録された筆跡データに対し消去処理することができる。
【０１０１】
この場合に、筆跡を視覚的に消去する消去部材１３１を収納する消しゴムケース１３２が位置検出部２００とインタラクションに寄与する部材で構成されているために、電子ペン１の電子消しゴム機能部１３と位置検出部２００との電磁結合によるインタラクションが良好に維持されて、電子ペン１の電子消しゴム機能部１３から消去指示信号が位置検出部２００に送信される。
【０１０２】
また、特許文献２に記載されている位置指示器のイレーサは樹脂部材により形成されており、消去のための電磁結合によるインタラクションは、位置指示器の筐体内に設けられている第２の位置指示コイルと位置検出部との間で行われる。このため、第２の位置指示コイルと位置検出部の入力面との間の距離は、イレーサが介在することによって大きくなり、これによって消去のための電磁結合による良好なインタラクションが阻害される。また、位置指示器が位置検出部の入力面上で指示する消去位置と、第２の位置指示コイルと位置検出部との間での電磁結合によるインタラクションで検出されて指示される消去位置との位置誤差が大きくなるという問題がある。
【０１０３】
これに対して、上述の第１の実施形態では、消去部材１３１を収納する保持部の例としての消しゴムケース１３２は、コイル１３４による磁路を形成する磁路材としての磁性体で構成されているので、電子消しゴム機能部１３と位置検出部２００との電磁結合によるインタラクションを良好に維持することができる。また、手書き情報に対して指示される視覚的な消去位置と、位置検出部２００で検出される消去位置との間の位置誤差を低減させることができる。
【０１０４】
特に、上述の第１の実施形態では、消去部材１３１を保持する保持部を磁性体で構成するとともに、消去部材１３１もまた磁性体が含有された部材で構成されているために、電子消しゴム機能部１３と位置検出部２００との電磁結合によるインタラクションを一層良好に維持することができる。また、手書き情報に対して指示される視覚的な消去位置と、位置検出部２００で検出される消去位置との間の位置誤差を一層低減させることができる。
［第１の実施形態における電子消しゴム機能部の他の構成例］
図７は、この第１の実施形態の電子ペン１の電子消しゴム機能部１３の他の構成例を説明するための図である。なお、この図７は、電子消しゴム機能部１３Ａのみを抽出して示しているが、この電子消しゴム機能部１３Ａは、第１の実施形態と同様に、電子ペン１の筒状の筐体１１の軸芯方向の他方の端部側に設けられるものである。
【０１０５】
図７（Ｂ）は、この例の電子消しゴム機能部１３Ａを、外部に突出する消去部材１３１Ａの端面側から見た図である。そして、図７（Ａ）は、図７（Ｂ）におけるＡ−Ａ線断面図（電子消しゴム機能部１３Ａの縦断面図）である。
【０１０６】
この例の電子消しゴム機能部１３Ａの消去部材１３１Ａは、消去部材１３１と同様に、電子ペン機能部１２の芯体１２１のボールペン機能のフリクションインクを消去するためのラバーで構成される。この例の消去部材１３１Ａも磁性体粉が混入されて、磁性を有するように構成してもよい。
【０１０７】
そして、この例の電子消しゴム機能部１３Ａの消しゴムケース１３２Ａは、消去部材１３１Ａを収納するための凹部１３２Ａａを備える円柱状の構成の、例えば樹脂で構成されている。
【０１０８】
そして、この他の構成例では、消しゴムケース１３２Ａ内に、図７（Ａ）及び（Ｂ）に示すように、コイル１３４Ａが巻回されている磁性体コア、例えばフェライトコア１３５Ａが設けられていると共に、圧力検出部１３７が設けられている。
【０１０９】
フェライトコア１３５Ａは、図７（Ａ）及び（Ｂ）に示すように、消しゴムケース１３２Ａの凹部１３２Ａａの底部側の部分に、凹部１３２Ａａの中心位置を跨ぐように埋め込まれる板状体部１３５Ａａと、この板状体部１３５Ａａの長手方向の両端からそれぞれ折り曲げられて、消しゴムケース１３２Ａの凹部１３２Ａａの開口側の端面にまで亘るように形成されている折り曲げ部１３５Ａｂ，１３５Ａｃとを一体的に有する。そして、コイル１３４Ａは、フェライトコア１３５Ａの板状体部１３５Ａａのほぼ中央に巻回されている。
【０１１０】
圧力検出部１３７は、この例では、特開２０１３−１６１３０７号公報に開示されているような筆圧に応じて静電容量を可変とする半導体素子１３７Ｓを用いた構成とされている。なお、この圧力検出部１３７は、電子ペン機能部１２Ａの筆圧検出部１２４と同様の構成の可変容量キャパシタの構成としてもよい。そして、消しゴムケース１３２Ａの凹部１３２Ａａの底部には、消去部材１３１Ａが衝合して、当該消去部材１３１Ａに印加される圧力を、圧力検出部１３７に伝達するための押圧部材１３７Ｐが設けられている。圧力検出部１３７の半導体素子１３７Ｓは、押圧部材１３７Ｐを介した消去部材１３１Ａに印加された圧力に応じた圧力を受けて、静電容量を可変とする可変容量キャパシタを構成する。
【０１１１】
そして、図７では図示を省略するが、コイル１３４Ａと共に共振回路を構成するキャパシタも、消しゴムケース１３２Ａ内に、コイル１３４Ａと並列に接続されて設けられている。そして、共振回路の両端の端子と、圧力検出部１３７の半導体素子１３７Ｓで構成する可変容量キャパシタの２個の電極の端子とが、電子ペン１内のプリント基板の部品と接続するために、消しゴムケース１３２Ａから導出されている。
【０１１２】
この他の構成例の電子消しゴム機能部１３Ａと共に使用されるタブレット端末は、その位置検出部の構成が、図４に示されるタブレット端末２の位置検出部２００と異なるのみであり、その他の構成はタブレット端末２と同様の構成とされる。
【０１１３】
図８（Ａ）に示すように、消去部材１３１Ａが手書き情報入力用紙３と接触している位置は、このフェライトコア１３５Ａの２個の折り曲げ部１３５Ａｂ及び１３５Ａｃの先端のそれぞれの位置とは異なる。位置検出部では、フェライトコア１３５Ａのそれら２個の折り曲げ部１３５Ａｂ及び１３５Ａｃからの消去指示信号を受けるので、その検出信号は、図８（Ｂ）に示すように、消去部材１３１Ａと手書き情報入力用紙３との接触部の位置Ｘｐを挟む２位置Ｘ１及びＸ２で得られ、各位置Ｘ１及びＸ２の検出信号は、電子ペン１Ａの傾き（電子消しゴム機能部１３Ａの傾き）に応じた強度レベルＬ１及びＬ２の信号となる。なお、図８（Ｂ）は、センサ２１２のＸ軸方向についての検出信号を示しているが、Ｙ軸方向についても同様であることは言うまでもない。
【０１１４】
位置検出部では、この図８（Ｂ）の検出信号に基づいて、消去部材１３１Ａと手書き情報入力用紙３との接触部の位置Ｘｐは、
Ｘｐ＝（Ｌ１＊Ｘ１＋Ｌ２＊Ｘ２）／（Ｌ１＋Ｌ２）  ・・・  （式１）
として算出することができる。
【０１１５】
また、Ｙ軸方向について、検出信号が得られる位置をＹ１，Ｙ２とし、接触部の位置Ｙｐとすると、
Ｙｐ＝（Ｌ１＊Ｙ１＋Ｌ２＊Ｙ２）／（Ｌ１＋Ｌ２）  ・・・  （式２）
として算出することができる。
【０１１６】
［第１の実施形態の変形例］
上述の第１の実施形態の電子ペン１では、電子ペン機能部１２と、電子消しゴム機能部１３とを、マニュアル操作のスイッチ１４で切り替えるようにした。しかしながら、電子ペン機能部と、電子消しゴム機能部とを、スイッチ１４を用いずに、自動的に切り替えるように構成することもできる。
【０１１７】
例えば、ＩＣ１００により、電子ペン機能部１２の筆圧検出部１２４で検出される筆圧と、電子消しゴム機能部１３の消去圧力検出部で検出される消去圧力とを監視し、それら筆圧及び消去圧力の検出結果に基づき、電子ペン機能部１２を動作させるか、電子消しゴム機能部１３を動作させるかを自動的に制御することができる。例えば、電子ペン機能部１２の筆圧検出部１２４で検出される筆圧については、芯体１２１に印加される圧力の検出範囲が、例えば３０ｇ〜２００ｇだとすれば、電子消しゴム機能部１３の消去圧力検出部で検出される消去圧力に関しては、消去部材１３１に印加される圧力が２０ｇを超えた場合には位置検出部２００で検出される圧力が２００ｇを超えた値となるような検出値を出力するようにする。すなわち、電子ペン機能部１２の筆圧検出部１２４で検出される筆圧と、電子消しゴム機能部１３の消去圧力検出部で検出される消去圧力を位置検出部２００で検出する際に、筆圧と消去圧力との間で圧力検出範囲を互いに異ならしめることでＩＣ１００は電子ペン機能部１２が操作されたか、あるいは電子消しゴム機能部１３が操作されたかを判別することができるために、ＩＣ１００は電子ペン機能部１２を動作させるか、電子ペン機能部１２を動作させるかを自動的に制御することができる。
【０１１８】
また、位置検出部２００は、検出された圧力の値に対応して、電子ペン機能部１２とのインタラクションであるか、電子消しゴム機能部１３とのインタラクションであるかを判別することができる。なお、印加される圧力が微小、上述の例では２０g以下である場合には、電子ペン機能部１２及び電子ペン機能部１２はともに動作しないように設定される。
【０１１９】
上述の例では、圧力値に応じた判別方法であるが、共振回路の周波数に応じて判別することもできる。例えば図４に示す共振回路１２Ｒと共振回路１３Ｒの共振周波数を位置検出部２００が判別できるように異ならしめることで、位置検出部２００は電子ペン１との電磁結合によるインタラクションの際に、共振周波数の違いに基づいて、電子ペン機能部１２とのインタラクションであるか、電子消しゴム機能部１３とのインタラクションであるかを判別することができる。
【０１２０】
更には、位置検出部２００が、電子ペン機能部１２及び電子消しゴム機能部１３とのそれぞれのインタラクションによって検出される指示位置での検出領域の違いに対応して、電子ペン機能部１２とのインタラクションであるか、電子消しゴム機能部１３とのインタラクションであるかを判別することができる。すなわち、この例では、電子ペン機能部１２におけるフェライトコア１２３の外径に対して、電子消しゴム機能部１３における消去部材１３１を保持する保持部としての消しゴムケース１３２の外径を大きくすることで、位置検出部２００との電磁結合によるインタラクションの際に、指示位置における検出領域の大きさに基づいて、電子ペン機能部１２とのインタラクションであるか、電子消しゴム機能部１３とのインタラクションであるかを判別することができる。
【０１２１】
なお、上述の実施形態の電子ペン１では、電子ペン機能部１２と電子消しゴム機能部１３とを切り替えるようにしたが、常に、両機能部を動作させるようにしてもよい。電子ペン機能部１２と電子消しゴム機能部１３との一方と位置検出部２００との間で電磁結合によるインタラクションを行っている状態では、他方は、位置検出部２００から遠い位置になっていて位置検出部２００との電磁結合が弱い、あるいは殆ど電磁結合していない状態であると共に、位置検出部２００では、上述したように、電子ペン機能部１２からの信号か、電子消しゴム機能部１３からの信号かを検出する機能を備えるからである。
【０１２２】
すなわち、位置検出部２００では、電子ペン１の電子ペン機能部１２及び電子消しゴム機能部１３の両方から信号が送出されていても、受信した信号のレベルが大きい方の信号が、電子ペン機能部１２と電子消しゴム機能部１３とのいずれからの信号であるかを検出することで、上述の例と同様にして、電子ペン機能部１２及び電子消しゴム機能部１３に対する処理を良好に行うことができる。
【０１２３】
なお、電子ペンには、上述の制御を行うために、共通の１個のＩＣ１００ではなく、電子ペン機能部１２用のＩＣと、電子消しゴム機能部１３用のＩＣを、それぞれ設けるようにしてもよい。
【０１２４】
また、電子ペン機能部１２からの信号か、電子消しゴム機能部１３からの信号かを、位置検出部２００にて判別するためには、両者の違いが分かるように、電子ペン機能部１２からの信号と、電子消しゴム機能部１３からの信号とが異なっていればよいので、その異なり方は、上述の例に限られるものではない。
【０１２５】
例えば、上述の実施形態では、位置検出用信号と消去指示信号とは、周波数が同じ信号の信号送出パターンを異ならせることで、位置検出部で判別可能としたが、位置検出用信号と消去指示信号とを判別可能とする方法としては、位置検出用信号と消去指示信号との周波数を異ならしめるようにしてもよい。
【０１２６】
また、例えば、電子ペン１のＩＣ１００に対して、電子ペン１の識別情報（ペンＩＤという）を記憶するＩＤメモリを設け、電子ペン機能部１２からの信号には、ペンＩＤを含ませ、電子消しゴム機能部１３からの信号には、ペンＩＤを含ませないようにすることで、位置検出部２００では、受信した信号中に、ペンＩＤが含まれているか否かにより、受信した信号は、電子ペン機能部１２からの信号か、電子消しゴム機能部１３からの信号かを判別することもできることは、上述した通りである。
【０１２７】
また、逆に、電子ペン機能部１２からの信号にペンＩＤを含ませることなく、その代わりに、電子消しゴム機能部１３からの信号に、ペンＩＤを含ませるようにしても勿論よい。また、電子ペン機能部１２からの信号と、電子消しゴム機能部１３からの信号に、互いに異なる固有の識別信号を含ませるようにしてもよい。
【０１２８】
また、電子ペン機能部１２の筆圧検出部で検出された筆圧値と、電子消しゴム機能部１３の消去圧力検出部で検出された消去圧力値とを、デジタル信号として、ＡＳＫ信号あるいはＯＯＫ信号を送出する場合において、筆圧値のデジタル信号のビット数と、消去圧力値のデジタル信号のビット数とを変えて電子ペン１から送出するようにしてもよい。その場合には、位置検出部２００では、電子ペン１から受信したＡＳＫ信号あるいはＯＯＫ信号を復調して得た結果のデジタル信号のビット数の違いから、電子ペン機能部１２からの信号か、電子消しゴム機能部１３からの信号かを判別することができる。
【０１２９】
また、電子ペン１は、電子ペン機能部１２の筆圧検出部１２４は設けるが、電子消しゴム機能部１３では、消去圧力検出部は設けない構成にして、位置検出部２００では、消去圧力情報を有しないバースト状信号しか電子ペンから受信しないときには、当該バースト状信号は消去指示信号であると判別するようにしてしてもよい。
【０１３０】
また、位置検出部２００に、電子ペン機能部１２の芯体１２１側による筆記ジェスチャーと、電子消しゴム機能部１３の消去部材１３１側による消去ジェスチャーを登録しておき、位置検出部２００で検出したジェスチャーがいずれのジェスチャーであるかにより、位置検出部２００との電磁結合によるインタラクションが、電子ペン機能部１２であるか、電子消しゴム機能部１３であるかを判別するようにしてもよい。
【０１３１】
［第２の実施形態］
以上は、電磁結合方式の電子ペンの場合の例であるが、この発明は、静電結合方式の電子ペンにも適用することができるものである。
【０１３２】
この第２の実施形態の電子ペン１Ｂの電子ペン機能部は、導電性の芯体を備え、電子ペン機能部用の信号発信回路からの位置検出用信号及び筆圧値の情報などが、その導電性の芯体を通じて、静電結合によるインタラクションにより、静電結合方式の位置検出部２００Ｂに送出される。この構成は、周知であるのでここでは省略する。なお、この電子ペン機能部用の芯体は、第１の実施形態と同様にボールペン機能を有するのは、この第２の実施形態でも同様である。
【０１３３】
図９は、この第２の実施形態の静電結合方式の電子ペン１Ｂの筐体１１Ｂに収納された電子消しゴム機能部１３Ｂの構成を示すものである。この例では、手書き情報入力用紙３に形成されている筆跡を視覚的に消去するための消去部材１３１Ｂは、導電体としての導電性の部材で構成されている消しゴムケース１３２Ｂに収納されている。また、消去部材１３１Ｂは、導電性部材の粉体が含有されることで導電性を備えた消しゴム部材で構成することができる。
【０１３４】
そして、電子消しゴム機能部１３Ｂ用の、信号発振回路１９Ｆと導電体である消しゴムケース１３２Ｂとから構成される信号発信回路１９Ｅからの消去指示信号及び消去圧力値の情報などが、導電性を有する消しゴムケース１３２Ｂを通じて、またはそれぞれが導電性を有する消しゴムケース１３２Ｂと消去部材１３１Ｂを通じて、静電結合によるインタラクションにより、静電結合方式の位置検出部２００Ｂに送出される。
【０１３５】
消しゴムケース１３２Ｂの凹部１３２Ｂａの底部には、消去圧力を検出する消去圧力検出部１３７Ｂが設けられている。この消去圧力検出部１３７Ｂは、この例では、特開２０１３−１６１３０７号公報に開示されているような筆圧に応じて静電容量を可変とする半導体素子を用いた構成とされている。消去圧力検出部１３７Ｂの半導体素子は、押圧部材１３７ＢＰを介した消しゴム部材１３１Ｂに印加された圧力に応じた圧力を受けて、静電容量を可変とする可変容量キャパシタを構成する。なお、この圧力検出部１３７Ｂは、第１の実施形態の電子ペン機能部１２の筆圧検出部１２４と同様の構成の可変容量キャパシタの構成としてもよい。
【０１３６】
この例では、図９に示すように、消去圧力検出部１３７Ｂと消去部材１３１Ｂとの間には、押圧部材１３７ＢＰが設けられおり、消去部材１３１Ｂに印加された圧力が押圧部材１３７ＢＰを介して消去圧力検出部１３７Ｂに伝達される。この例では、消去圧力検出部１３７Ｂと消去部材１３１Ｂとの間には、バネ部材１３７ＳＰが設けられており、消去部材１３１Ｂに印加されていた圧力がなくなったときには、消去部材１３１Ｂを消去圧力検出部１３７Ｂから離間するようにしている。
【０１３７】
消去圧力検出部１３７Ｂは、プリント基板１５Ｂに設けられている、第１の実施形態のＩＣ１００と同様の構成のＩＣ１００Ｂ（図１１参照。図９では図示を省略）に接続されている。ＩＣ１００Ｂは、消去圧力検出部１３７Ｂで検出された消去圧力値の情報を、所定の周波数で発振する信号発振回路１９Ｆを備えた、電子消しゴム機能部用の信号発信回路１９Ｅを通じて出力するように制御する。なお、ＩＣ１００Ｂは、電子ペン機能部に設けられている筆圧検出部で検出された筆圧値の情報を、電子ペン機能部用の信号発信回路１９Ｓ（図１１参照）を通じて出力するように制御もする。
【０１３８】
この第２の実施形態の電子ペン１Ｂのプリント基板１５Ｂには、位置検出用信号等を送出する電子ペン機能部用の信号発信回路１９Ｓ（図１１参照。図９では図示は省略）と、消去指示信号等を送出する電子消しゴム機能部を構成する信号発信回路１９Ｅ（図９及び図１１参照）とが設けられている。
【０１３９】
信号発信回路１９Ｅからの消去指示信号の出力端は、この例では、信号発信回路１９Ｅが備える信号発振回路１９Ｆから出力される信号の発振周波数に共振するように構成された、キャパシタ１８及び、磁性体コア、例えばフェライトコア１３９に巻回されているコイル１３８を通じて、導電性を有する消しゴムケース１３２Ｂに接続されている。したがって、消去指示信号は、図１０に示すように、キャパシタ１８及びコイル１３８を通じて、消しゴムケース１３２Ｂに供給され、消しゴムケース１３２Ｂを通じて、または消しゴムケース１３２Ｂ及び消去部材１３１Ｂを通じて、静電結合方式の位置検出部２００Ｂ（図１１参照）に送信される。
【０１４０】
［電子ペン１Ｂ及びタブレット端末２Ｂの位置検出部２００Ｂの電子回路構成例］
図１１は、第２の実施形態の電子ペン１Ｂの回路と、この電子ペン１Ｂの電子ペン機能部１２Ｂと静電結合によるインタラクションにより位置検出及び筆圧検出、また、電子ペン１Ｂの電子消しゴム機能部１３Ｂと静電結合によるインタラクションにより消去位置検出及び圧力検出を行うタブレット端末２Ｂの位置検出部２００Ｂの回路構成例とを示す図である。
【０１４１】
この第２の実施形態における位置検出部２００Ｂは、図１１に示すように、センサ２２０と、座標データ生成部２０１Ｂと、信号処理回路としてのコントローラ２０２Ｂを備えている。センサ２２０は、この例では、断面図は省略するが、下層側から順に、第１の導体群２２１、絶縁層（図示は省略）、第２の導体群２２２を積層して形成されたものである。第１の導体群２２１は、例えば、横方向（Ｘ軸方向）に延在した複数の第１の導体２２１Ｙ１、２２１Ｙ２、…、２２１Ｙｍ（ｍは１以上の整数）を互いに所定間隔離して並列に、Ｙ軸方向に配置したものである。
【０１４２】
また、第２の導体群２２２は、第１の導体２２１Ｙ１、２２１Ｙ２、…、２２１Ｙｍの延在方向に対して交差する方向、この例では直交する縦方向（Ｙ軸方向）に延在した複数の第２の導体２２２Ｘ１、２２２Ｘ２、…、２２２Ｘｎ（ｎは１以上の整数）を互いに所定間隔離して並列に、Ｘ軸方向に配置したものである。第１の導体群２２１と第２の導体群２２２のそれぞれは、選択回路２２３を介して座標データ生成部２０１Ｂに接続されている。
【０１４３】
位置検出部２００Ｂのセンサ２２０では、以上のように第１の導体群２２１と第２の導体群２２２を交差させて形成したセンサパターンを用いて、電子ペン１Ｂが指示する位置を検出する構成を備えている。
【０１４４】
電子ペン１Ｂの電子ペン機能部１２Ｂは、インタラクション回路として、信号発信回路１９Ｓと、導電性の芯体１２１Ｂと、筆圧検出部（図示は省略）を備えており、導電性の芯体１２１Ｂが第１の回路要素とされる。また、電子ペン１Ｂの電子消しゴム機能部１３Ｂは、インタラクション回路として、信号発信回路１９Ｅと、導電性の消しゴムケース１３２Ｂを備える。なお、インタラクション回路として、消去部材１３１Ｂと、消去圧力検出部１３７Ｂ（図９参照）を更に備えることもできる。導電性の消しゴムケース１３２Ｂが第２の回路要素とされる。また、消去部材１３１Ｂが導電性を備える部材で構成されている場合には、消去部材１３１Ｂもまた第２の回路要素とされる。
【０１４５】
そして、ＩＣ１００Ｂの制御の下に、電子ペン機能部１２Ｂは、位置検出用信号と筆圧検出部で検出された筆圧値を示す筆圧情報とを、所定の発振周波数の信号を出力する発振回路を備えた信号発信回路１９Ｓから芯体１２１Ｂを通じてセンサ２２０に対して送出する。また、電子消しゴム機能部１３Ｂは、ＩＣ１００Ｂの制御の下に、消去指示信号と、消去圧力検出部１３７Ｂで検出された消去圧力値の情報とを、この例では、消しゴムケース１３２Ｂ及び消去部材１３１Ｂを通じてセンサ２２０に対して送出する。この例では、筆圧情報や消去圧力情報は、ＡＳＫ信号あるいはＯＯＫ信号として送信される。
【０１４６】
選択回路２２３は、座標データ生成部２０１Ｂからの選択制御信号に基づいて、第１の導体群２２１および第２の導体群２２２の中から１本の導体２２１Ｙまたは２２２Ｘを選択する。座標データ生成部２０１Ｂは、選択回路２２３で選択された導体からの信号を検出し、その信号レベルを監視することで、電子ペン機能部１２Ｂまたは電子消しゴム機能部１３Ｂで指示されたセンサ２２０上の位置（導体の位置）を検出する。
【０１４７】
この場合に、第１の実施形態の場合と同様にして、電子ペン１Ｂの電子ペン機能部１２Ｂからの位置検出用信号と、電子消しゴム機能部１３Ｂからの消去指示信号とは、それらに含まれるバースト状信号の連続信号期間の長さが変えられている、バースト状信号の間欠周期が変えられているなどの方法が用いられて、断続パターンが異ならされている。
【０１４８】
したがって、座標データ生成部２０１Ｂでは、選択回路２２３を通じて受信した信号の断続パターンの違いを検出して、その検出結果から、受信した信号が、電子ペン１Ｂの電子ペン機能部１２Ｂからの位置検出用信号か、電子消しゴム機能部１３Ｂからの消去指示信号かを判別する。なお、電子ペン１Ｂの電子ペン機能部１２Ｂからの位置検出用信号と、電子消しゴム機能部１３Ｂからの消去指示信号とで、送信信号の周波数が異なっている場合には、座標データ生成部２０１Ｂでは、その周波数の違いを判別することで、受信した信号が、電子ペン１Ｂの電子ペン機能部１２Ｂからの位置検出用信号か、電子消しゴム機能部１３Ｂからの消去指示信号かを判別する。さらには、電子ペン１Ｂの電子ペン機能部１２Ｂからの信号あるいは電子消しゴム機能部１３Ｂからの信号の一方に電子ペン１Ｂの識別情報（ペンＩＤ）が含まれている場合には、座標データ生成部２０１Ｂは、ペンＩＤが含まれているか否かにより、受信した信号が、電子ペン１Ｂの電子ペン機能部１２Ｂからの位置検出用信号か、電子消しゴム機能部１３Ｂからの消去指示信号かを判別する。
【０１４９】
そして、座標データ生成部２０１Ｂは、選択回路２２３を通じて受信した信号がＡＳＫ信号あるいはＯＯＫ信号である場合には、ＡＳＫ信号あるいはＯＯＫ信号からデジタル信号の復調処理を行って、筆圧情報や圧力情報を検出する。
【０１５０】
以上のようにして、座標データ生成部２０１Ｂは、電子ペン機能部１２Ｂによる指示位置の情報と筆圧情報、あるいは、電子消しゴム機能部１３Ｂによる指示位置の情報と消去圧力情報とを検出し、その検出した情報を、例えば電子消しゴム機能部１３Ｂによる指示位置の情報と消去圧力情報には、消去フラグなどの識別用の情報を付加して、両者を区別可能として、コントローラ２０２Ｂに供給する。コントローラ２０２Ｂは、前述の例と同様にして、ユーザＩ／Ｆ２０３Ｂからの指示に従って、モバイル端末に、電子ペン機能部１２Ｂによる指示位置の情報と筆圧情報、あるいは、電子消しゴム機能部１３Ｂによる指示位置の情報と消去圧力情報とを、例えば前述した消去フラグ等の識別のための情報により、両者の識別が可能の状態で出力する。
【０１５１】
この第２の実施形態の電子ペン１Ｂでは、電子ペン機能部１２Ｂと、電子消しゴム機能部１３Ｂとの切り替えは、第１の実施形態において電子ペン機能部１２が備える筆圧検出特性と電子消しゴム機能部１３が備える筆圧検出特性の違いに基づく、電子ペン機能部１２と電子消しゴム機能部１３との判別と変わることなく適用でき、ＩＣ１００Ｂによって制御されるものであるため、その詳細は割愛する。また、ＩＣ１００Ｂにより、電子ペン機能部１２Ｂが備える筆圧検出部１２４で筆圧が検出されたか、あるいは、電子消しゴム機能部１３Ｂが備える消去圧力検出部１３７Ｂで圧力が検出されたかに基づいて、切り替え制御することもできる。なお、第１の実施形態についての変形例にも記載したように、この第２の実施形態においても、電子ペン機能部１２Ｂと、電子消しゴム機能部１３Ｂとを切り替えることなく、常時、両者を動作させておいてもよい。位置検出部２００Ｂにおいて、電子ペン１Ｂの電子ペン機能部１２Ｂからの信号、あるいは電子消しゴム機能部１３Ｂからの信号に基づいて、電子ペン機能部１２Ｂあるいは電子消しゴム機能部１３Ｂのいずれが操作されているかを判別可能であれば良い。
【０１５２】
この第２の実施形態の電子ペン１Ｂによっても、上述の実施形態と同様にして、手書き情報入力用紙３に形成されている筆跡が消去部材１３１Ｂにより視覚的に消去されたときには、当該筆跡に対応する電子データに対して消去処理を行うことができる。
【０１５３】
［第２の実施形態の変形例］
静電結合によるインタラクションに基づく第２の実施形態においても、電磁結合によるインタラクションに基づく第１の実施形態において説明した変形例が可能であることは言うまでもない。すなわち、電磁結合と静電結合との違いに依存しない限りは、第１の実施形態において説明した変形例をそのまま適応することができる。
【０１５４】
また、上述の実施形態では、消去部材１３１Ｂと消しゴムケース１３２Ｂとを導電体で構成するようにしたが、位置検出部２００Ｂと静電結合によるインタラクションのためには、消しゴムケース１３Ｂ全体を導電体で構成する必要はなく、信号発信回路１９Ｅから出力される信号を、消去部材１３１Ｂに供給することができるようにする導電体を、消しゴムケース１３２Ｂ内、あるいは、消しゴムケース１３２Ｂに沿って設けるようにしてもよい。
【０１５５】
また、消去部材１３１Ｂは、導電体とせずに、消しゴムケース１３２Ｂのみを導電体としたり、信号発信回路１９Ｅから出力される信号を位置検出部２００Ｂに送信することができるようにする導電体を、消しゴムケース１３２Ｂ内、あるいは、消しゴムケース１３２Ｂに沿って設けるようにしたりして、静電結合によるインタラクションによって、位置検出部２００Ｂに消去指示を送信することが可能なように構成してもよい。
【０１５６】
また、消去部材１３１Ｂの全体を導電体とするのではなく、この消去部材１３１Ｂ内に、位置検出部２００Ｂと静電結合によるインタラクションが可能な導電体を埋め込むようにしてもよい。
【０１５７】
［第３の実施形態］
上述の実施形態では、電子ペンの電子ペン機能部及び電子消しゴム機能部は、タブレット端末の位置検出部が備えるセンサとのインタラクションに関して、それぞれ同じ電磁結合、あるいは静電結合で行われていた。しかし、タブレット端末としては、電磁結合用のセンサと、静電結合用のセンサとの両方を有するものもある。第３の実施形態は、この点を利用して、電子ペンの電子ペン機能部と、電子消しゴム機能部とが、タブレット端末の位置検出部が備えるセンサとのインタラクションに関して、互いに異なる方式が適用された場合の例である。
【０１５８】
図１２は、この第３の実施形態の電子ペン１Ｄ及びタブレット端末の位置検出部２００Ｄの構成例を説明するための図である。この図１２に示すように、第３の実施形態のタブレット端末の位置検出部２００Ｄは、静電結合方式の位置検出部３００と、電磁結合方式の位置検出部４００とを共に備える。静電結合方式の位置検出部３００は、例えば図１１に示した構成と同様の静電結合用のセンサ３０１と、座標データ生成部３０２とを備える。電磁結合方式の位置検出部４００は、例えば図４に示した構成と同様の電磁結合用のセンサ４０１と、座標データ生成部４０２とを備える。また、この場合に、静電結合方式の位置検出部のセンサ３０１と、電磁結合方式の位置検出部のセンサ４０１とは、図１２に示すように、互いに重畳して配設されて、載置面（位置検出エリア）は、静電結合方式の位置検出部３００のセンサ３０１と、電磁結合方式の位置検出部４００のセンサ４０１とで共通となるように構成される。そして、静電結合方式の位置検出部３００の座標データ生成部３０２で検出した情報と、電磁結合方式の位置検出部４００の座標データ生成部４０２で検出した情報とは、共通のペーパーＩＤが付加されて、コントローラ５００に供給される。
【０１５９】
一方、この第３の実施形態の電子ペン１Ｄにおいては、電子ペン機能部１２Ｄは、例えば図２に示した構成の電磁結合方式用として構成され、電子消しゴム機能部１３Ｄは、例えば図９に示した構成の静電結合方式用として構成されており、消去部材１３１Ｂと同様な消去部材１３１Ｄを備えている。
【０１６０】
したがって、コントローラ５００では、座標データ生成部４０２からの信号は、電子ペン１Ｄの電子ペン機能部１２Ｄからの信号として筆記処理し、座標データ生成部３０２からの信号は、電子ペン１Ｄの電子消しゴム機能部１３Ｄからの信号として、例えば消去フラグなどの識別情報を付加して、消去処理するようにする。そして、コントローラ５００は、電子ペン機能部１２Ｄからの信号と、電子消しゴム機能部１３Ｄからの信号とを、例えば消去フラグにより識別可能の状態で、共通のペーパーＩＤに対応付けて、モバイル端末に送信するようにする。
【０１６１】
この第３の実施形態の電子ペン１Ｄにおいても、電子ペン機能部１２Ｄと、電子消しゴム機能部１３Ｄとの動作を切り替え制御するようにしてもよいし、常時、両者を動作させるようにしてもよい。
【０１６２】
なお、上述の第３の実施形態では、電子ペン機能部１２Ｄは、電磁結合方式用として構成し、電子消しゴム機能部１３Ｄは、静電結合方式用として構成したが、逆に、電子ペン機能部１２Ｄは、静電結合方式用として構成し、電子消しゴム機能部１３Ｄは、電磁結合方式用として構成してもよい。その場合には、コントローラ５００では、座標データ生成部４０２からの信号は、電子ペン１Ｄの電子消しゴム機能部１３Ｄからの信号として、例えば消去フラグなどの識別情報を付加して、消去処理し、座標データ生成部３０２からの信号は、電子ペン１Ｄの電子ペン機能部１２Ｄからの信号として筆記処理する。
【０１６３】
［その他の実施形態または変形例］
上述の実施形態では、消しゴムケースは、位置指示器１の筐体１１とは別体として、筐体１１の電子ペン機能部側とは反対側の後端部に嵌合させるようにした。しかしながら、消しゴムケースを、筐体１１の後端部に筐体１１と一体的に形成するようにして、消去部材を挿入保持する凹部は、筐体１１の後端部の凹部をそのまま用いるようにしてもよい。その場合に、当該凹部が形成されている筐体１１の後端部は、第１の実施形態では、例えば磁性粉を混入させるなどして磁性を有するように構成し、また、第２の実施形態の場合には、導体粉を混入させるなどして導電性を有するように構成する。更には、保持部材としての消しゴムケースは、位置指示器１の筐体１１に収納させることも、位置指示器１の軸芯方向に筐体１１から少なくとも部分的に露出するように収納させることもできる。
【０１６４】
また、第１の実施形態では、消しゴムケース１３２を磁性体で構成するようにしたが、例えば樹脂製の消しゴムケースの凹部の底部側の部分に、当該凹部の中心位置を跨ぐように埋め込まれる板状体部と、この板状体部の長手方向の両端からそれぞれ折り曲げられて、消しゴムケースの凹部の開口側の端面にまで亘るように形成されている折り曲げ部とを一体的に有するフェライトコアを設け、そのフェライトコアにコイルを巻回するように構成してもよい。
【０１６５】
また、コイルが巻回される磁性体コアは、消しゴムケースに収納するのではなく、消去部材内に埋め込んでもよい。その場合には、コイルと共に共振回路を構成するキャパシタンス素子としてのキャパシタも、コイルと共振回路を構成るように接続した状態で、消去部材内に埋め込んでもよい。
【０１６６】
また、消去部材の保持部としては、凹部を備える消しゴムケースを用いるようにしたが、消しゴムケースを用いずに、電子ペンの筐体の、電子ペン機能部側とは反対側の部分の凹部を、消去部材の保持部として用いるようにしてもよい。
【０１６７】
上述の実施形態では、電子ペンに電子消しゴム機能部を搭載するようにしたが、電子消しゴム機能部は、電子ペンとは、別個に構成するようにしてもよい。
【０１６８】
上述の実施形態は、筆記操作に対応した筆跡を視認可能に形成する芯体として、消去可能なフリクションインクを用いたボールペン機能を備えた電子ペンの場合であり、消去部材は、ボールペン機能のフリクションインクを消去するためのラバーで構成されていた。しかし、筆記操作に対応した筆跡を視認可能に形成する芯体の筆記具機能としては、上述のような消去可能なボールペン（以下、イレーサブルペンと称する）に限らず、消去しにくい通常のボールペンの他、シャープペンシルや万年筆なども存在し、当該筆記具機能を有する電子ペンも考えられている。
【０１６９】
一方、消しゴムは、上述したようなボールペン機能のフリクションインクを消去するためのラバーを用いるものではなく、一般的なシャープペンシルや鉛筆用の通常の消しゴム（普通消しゴムと称する）の他、万年筆や通常のボールペンの筆跡も消去可能な砂消しゴムも存在している。
【０１７０】
ところで、筆記跡については、消去可能とするだけでなく、消去したくない場合もあり、筆記跡の消去について選択性を備えるようにすることができれば便利である。例えば枠線は消去せずに、枠線で囲まれた領域における文字などの筆記跡のみを消去する場合である。また、通常のボールペンのようにペン先が硬質のものでは、筆記により用紙が押圧されて筆記跡が用紙に凹部による変形（痕跡）として残る場合もあり、そのような用紙に残る筆記跡の痕跡に対応して、できれば、電子データとしては消去せずに残し、電子データを表示する場合にその表示を制御することができるようにしたい場合もある。
【０１７１】
このような消去についての選択性や消去後の痕跡に対応して、筆記跡の電子データを残したり、表示を制御したりするようにすることについて、使用者が管理するのは非常に面倒である。そこで、以下の例においては、その管理を容易にすることができるように工夫している。
【０１７２】
以下に説明する例の電子ペンは、図示は省略するが、電子ペン機能部１２は、カートリッジの構成とされて、交換可能とされている（特開２０１６‐１８４４４４号公報参照）。あるいは、いわゆるノック式多色ボールペンと同様に、複数個のカートリッジが電子ペンの筐体内に収納されて、ノック操作により、その複数個のカートリッジのいずれかが、筐体の軸心方向の一方側に設けられている開口からペン先が外部に露出するように選択可能な構成とされる（特開２０１６‐１８４４４４号公報参照）。
【０１７３】
そして、各カートリッジは、例えば電磁誘導方式の電子ペン機能を備えると共に、この例では、シャープペンシル、上述と同様の消去可能なフリクションインクのボールペン（イレーサブルボールペン）、万年筆、フリクションインクではない通常のボールペンの４種の内の、いずれかの筆記具機能を備えるように構成されている。
【０１７４】
また、以下に説明する例の電子ペンは、電子消しゴム機能部の消去部材として、この例では、シャープペンシルやイレーサブルペン用のラバーからなる普通消しゴムと、砂消しゴムとの２種が、保持部としての消しゴムケースに交換可能に収納される構成とされている。
【０１７５】
そして、この例においては、電子ペンの電子ペン機能部からタブレット端末に送信される信号には、位置検出用信号及び筆圧情報に加えて、カートリッジが上記の４種の筆記具機能のいずれを備えるかを識別するための識別情報（カートリッジＩＤ）が含められるように構成されている。また、この例においては、電子ペンの電子消しゴム機能部からタブレット端末に送信される信号には、消去用信号及び消去圧力情報に加えて、消去部材が上記の２種のいずれであるかを識別する識別情報（消去部材ＩＤ）が含められるように構成されている。
【０１７６】
そして、タブレット端末と有線あるいは無線で接続される情報処理装置、例えば上述のモバイル端末やパソコン、あるいはタブレット端末とモバイル端末あるいはパソコンを通じて接続される、ネットワークに接続されているサーバ装置、には、電子ペン機能部のカートリッジが備えている４種の筆記具機能についての属性情報が、それぞれの識別情報（カートリッジＩＤ）に対応付けられた属性情報テーブルが記憶されている。
【０１７７】
図１３は、この４種の筆記具機能についての属性情報テーブルの一例であり、この例では、筆記具機能の属性情報は、筆跡フラグと記録能力の情報とされている。ここで、筆跡フラグＰＦは、
ＰＦ＝０；消去部材により筆記跡を消去したときに、筆記データの全てを消去
ＰＦ＝１；消去部材により筆記跡を消去したときに、筆記データは消去せずに残すが、筆記データによる表示を禁止
ということを示す情報である。なお、筆記データによる表示を禁止するか、許可するかは、この例では、後述する表示フラグを用いる。
【０１７８】
記録能力ＲＣは、後述する消去部材による消去能力に対応するレベル情報であり、この例では、ＲＣ＝１と、ＲＣ＝２との２レベルが定められている。
【０１７９】
そして、図１３に示すように、この例では、筆記具機能のシャープペンシルに対しては、識別情報（カートリッジＩＤ）として「ＩＤ１」が割り当てられ、筆記フラグとして「０」が、記録能力として「１」が割り当てられて記憶されている。また、筆記具機能のイレーサブルペンに対しては、識別情報（カートリッジＩＤ）として「ＩＤ２」が割り当てられ、筆記フラグとして「１」が、記録能力として「１」が割り当てられて記憶されている。また、筆記具機能の万年筆に対しては、識別情報（カートリッジＩＤ）として「ＩＤ３」が割り当てられ、筆記フラグとして「０」が、記録能力として「２」が割り当てられて記憶されている。また、筆記具機能の通常のボールペンに対しては、識別情報（カートリッジＩＤ）として「ＩＤ４」が割り当てられ、筆記フラグとして「１」が、記録能力として「２」が割り当てられて記憶されている。
【０１８０】
また、タブレット端末と有線あるいは無線で接続される情報処理装置には、電子消しゴム機能部の２種の消去部材についての属性情報が、それぞれの識別情報（消去部材ＩＤ）に対応付けられた属性情報テーブルが記憶されている。
【０１８１】
図１４は、この２種の消去部材についての属性情報テーブルの一例であり、この例では、消去部材の属性情報は、消去能力の情報とされている。ここで、消去能力ＥＲは、記録能力に対応するレベル情報であり、この例では、ＥＲ＝１と、ＥＲ＝２との２レベルが定められている。この例の場合、記録能力ＲＣと、消去能力ＥＲとを比較して、消去能力ＥＲが記録能力以上（ＥＲ≧ＲＣ）であれば、消去部材により筆記跡の消去可能（視覚的な消去が可能）であると判断でき、消去能力ＥＲが記録能力ＲＣよりも小さいレベルであれば（ＥＲ＜ＲＣ）、筆記跡の消去はできない（視覚的な消去が不能）と判断できる。
【０１８２】
そして、図１４に示すように、この例では、普通消しゴムの消去部材に対しては、識別情報（消去部材ＩＤ）として「ＩＤａ」が割り当てられ、消去能力として「１」が割り当てられて記憶されている。また、砂消しゴムの消去部材に対しては、識別情報（消去部材ＩＤ）として「ＩＤｂ」が割り当てられ、消去能力として「２」が割り当てられて記憶されている。
【０１８３】
そして、タブレット端末と有線あるいは無線で接続される情報処理装置においては、図１５に示すような記憶データフォーマットで、筆記データが管理される。すなわち、図１５に示すように、筆記データの記憶データフォーマットは、ペーパーＩＤと、筆跡フラグと、記録能力と、表示フラグと、座標データとからなる。なお、座標データには、筆圧情報を含むと共に、筆記された時点の時刻情報が付加される。
【０１８４】
タブレット端末と有線あるいは無線で接続される情報処理装置は、タブレット端末から電子ペン機能部からの信号に基づく指示位置の情報、筆圧情報及びカートリッジＩＤ並びにペーパーＩＤを受けたときには、図１５に示すように、受信したペーパーＩＤを先頭に記憶すると共に、受信したカートリッジＩＤにより図１３に示した筆記具機能についての属性情報テーブルを参照して、対応する筆跡フラグＰＦ及び記録能力ＲＣを記憶する。そして、表示フラグは「１」を記憶する。そして、最後に、筆圧情報や時刻情報が付加されている座標データを記憶する。
【０１８５】
そして、情報処理装置は、タブレット端末から電子消しゴム機能部からの信号に基づく指示位置の情報、消去圧力情報及び消去部材ＩＤ並びにペーパーＩＤを受けたときには、ペーパーＩＤ及び座標データから、消去対象となる筆記データを検知すると共に、消去部材ＩＤにより図１４に示した消去部材についての属性情報テーブルを参照して、消去能力を認識し、認識した消去能力と、検出した筆記データの記憶データフォーマットに記憶されている記録能力とを比較して、その比較結果に応じて、検知した筆記データの全てを消去するか、その記憶データフォーマットの表示フラグを「１」から「０」にするか、消去をしないか、を制御するようにする。
【０１８６】
図１６に、タブレット端末と接続されている情報処理装置の処理動作の一例のフローチャートを示す。すなわち、情報処理装置は、タブレット端末からの情報を受信を待つ（ステップＳ３０１）。このステップＳ３０１で、タブレット端末からの情報を受信したと判別したときには、情報処理装置は、受信したのは、電子ペン機能部とタブレット端末とのインタラクションによる筆記情報であるか、あるいは、電子消しゴム機能部とタブレット端末とのインタラクションによる消去情報であるかを判別する（ステップＳ３０２）。
【０１８７】
このステップＳ３０２で、受信したのは筆記情報であると判別したときには、情報処理装置は、受信した筆記情報に含まれるカートリッジＩＤにより筆記具機能についての属性情報テーブルを参照して、筆跡フラグと記録能力を特定し、図１４に示した記憶データフォーマットで、筆記データを記憶する。このとき、表示フラグは、「１」を記憶する。このステップＳ３０２の次には、情報処理装置は、処理をステップＳ３０１に戻し、このステップＳ３０１以降の処理を繰り返す。
【０１８８】
また、ステップＳ３０２で、受信したのは消去情報であると判別したときには、情報処理装置は、受信した消去情報に含まれるペーパーＩＤと座標データから、消去対象の筆記情報を把握する（ステップＳ３０４）。次に、情報処理装置は、受信した消去情報に含まれる消去部材ＩＤにより消去部材についての属性情報テーブルを参照し、その消去能力を検知して、その検知した消去能力が、消去対象の筆記情報に含まれる記録能力とを比較して、消去能力ＥＲが記録能力ＲＣ以上のレベルであるか否か判別する（ステップＳ３０５）。
【０１８９】
ステップＳ３０５で、消去能力ＥＲが記録能力ＲＣ以上のレベルではないと判別したときには、情報処理装置は、消去対象の筆記情報は消去しないと決定し（ステップＳ３０６）、処理をステップＳ３０１に戻して、このステップＳ３０１以降の処理を繰り返す。また、ステップＳ３０５で、消去能力ＥＲが記録能力ＲＣ以上のレベルであると判別したときには、情報処理装置は、消去対象の筆記情報の筆跡フラグが「０」であるか否か判別する（ステップＳ３０７）。
【０１９０】
ステップＳ３０７で、筆跡フラグが「０」であると判別したときには、情報処理装置は、消去対象の筆記情報の全体を消去する（ステップＳ３０８）。そして、このステップＳ３０８の次には、情報処理装置は、処理をステップＳ３０１に戻し、このステップＳ３０１以降の処理を繰り返す。
【０１９１】
また、ステップＳ３０７で、筆跡フラグが「０」ではなく、「１」であると判別したときには、情報処理装置は、消去対象の筆記情報は消去せずに、その記憶データフォーマットにおける表示フラグを、「１」から「０」に変更する（ステップＳ３０９）。そして、このステップＳ３０８の次には、情報処理装置は、処理をステップＳ３０１に戻し、このステップＳ３０１以降の処理を繰り返す。
【０１９２】
以上のようにして、情報処理装置は、筆記情報を、消去に関して、用紙における消去部材による消去動作と対応するように管理する。この場合に、例えば、記録能力のレベルが大きい通常のボールペンで枠線を記述し、その枠線で囲まれる領域に、記録能力のレベルが小さいシャープペンシルやイレーサブルペンで文字等を記載し、消去能力が１の消去部材で消去を実行した場合には、枠線を消さずに、枠線で囲まれる領域内に含まれる文字等が消されることになるが、それに対応して、筆記情報も、枠線を残して文字等のみの筆記データを消去することができる。つまり、筆記跡の消去について選択性を備えるようにすることができる。
【０１９３】
また、上述の例によれば、通常のボールペンで用紙に筆記したときには、通常のボールペンについての筆跡フラグを「１」としたことにより、当該ボールペンの筆記跡を消去可能な砂消しゴムからなる消去部材を用いて消去したときにも、用紙に残る痕跡に応じた筆記データを残す（表示はしない）ことができて便利である。なお、この例では、イレーサブルペンについても同様に筆跡フラグを「１」にしたので、筆記データを消去せずに残すことができるように構成されている。
【０１９４】
以上の図１３〜図１６を用いて説明した例においても、電子ペンに電子消しゴム機能部を搭載するようにしたが、電子消しゴム機能部は、電子ペンとは、別個に構成するようにしてもよい。
【０１９５】
また、図１３〜図１６を用いて説明した例の電子ペンは、電磁誘導方式であったが、静電容量方式の電子ペンであってもよいことは言うまでもない。
【符号の説明】
【０１９６】
１，１Ａ，１Ｂ，１Ｄ…電子ペン、２，２Ａ，２Ｂ…タブレット端末、１２，１２Ａ，１２Ｂ，１２Ｄ…電子ペン機能部、１３，１３Ａ，１３Ｂ，１３Ｄ…電子消しゴム機能部、１３１，１３１Ａ，１３１Ｂ…消去部材、１３２，１３２Ａ，１３２Ｂ…消しゴムケース、２００，２００Ｂ，２００Ｄ…位置検出部
【図１】
2018158993.tif 000003
【図２】
2018158993.tif 000004
【図３】
2018158993.tif 000005
【図４】
2018158993.tif 000006
【図５】
2018158993.tif 000007
【図６】
2018158993.tif 000008
【図７】
2018158993.tif 000009
【図８】
2018158993.tif 000010
【図９】
2018158993.tif 000011
【図１０】
2018158993.tif 000012
【図１１】
2018158993.tif 000013
【図１２】
2018158993.tif 000014
【図１３】
2018158993.tif 000015
【図１４】
2018158993.tif 000016
【図１５】
2018158993.tif 000017
【図１６】
2018158993.tif 000018
【国際調査報告】
2018158993.tif 000019
2018158993.tif 000020
2018158993.tif 000021
2018158993.tif 000022